(57)【要約】  基地局と通信する無線端末を動作させる方法が提供され得る。そのような方法は、基地局から無線リソース制御ＲＲＣメッセージを受信することであって、ＲＲＣメッセージが、反射および／または非反射である少なくとも１つのサービス品質（ＱｏＳ）フローに関する情報を含む、基地局から無線リソース制御ＲＲＣメッセージを受信することを含み得る。そのような方法は、非反射ＱｏＳフローを使用して無線端末と基地局との間のデータパケットの通信を提供することであって、データパケットが、データフィールドと、ＱｏＳフローアイデンティティＱＦＩを有するサービスデータアプリケーションプロトコルＳＤＡＰヘッダフィールドとを含み、ＱＦＩが、ＲＲＣメッセージからの情報に基づいてデータパケットに対して使用される、無線端末と基地局との間のデータパケットの通信を提供することも含み得る。基地局およびコアネットワークノードを動作させる方法も提供され得る。関連する無線端末、基地局、およびコアネットワークノードも論じられる。【選択図】図１１
2021514135.tif 000002
【特許請求の範囲】
【請求項１】
基地局（ｇＮＢ）と通信する無線端末（ＵＥ）を動作させる方法であって、
前記基地局から無線リソース制御（ＲＲＣ）メッセージを受信すること（１１０３）であって、前記ＲＲＣメッセージが、反射および／または非反射である少なくとも１つのサービス品質（ＱｏＳ）フローに関する情報を含む、前記基地局から無線リソース制御（ＲＲＣ）メッセージを受信することと、
非反射ＱｏＳフローを使用して前記無線端末と前記基地局との間のデータパケットの通信を提供すること（１１１５）であって、前記データパケットが、データフィールドと、ＱｏＳフローアイデンティティ（ＱＦＩ）を有するサービスデータアプリケーションプロトコル（ＳＤＡＰ）ヘッダフィールドとを含み、前記ＱＦＩが、前記ＲＲＣメッセージからの前記情報に基づいて前記データパケットに対して使用される、前記無線端末と前記基地局との間のデータパケットの通信を提供することと
を含む、方法。
【請求項２】
前記データパケットが第１のデータパケットであり、前記データフィールドが第１のデータフィールドであり、前記ＳＤＡＰヘッダフィールドが第１のＳＤＡＰヘッダフィールドであり、前記方法が、
反射ＱｏＳフローを使用して前記無線端末と前記基地局との間の第２のデータパケットの通信を提供すること（１１１７）であって、前記第２のデータパケットが、第２のデータフィールドと、前記ＲＲＣメッセージからの前記情報に基づいて前記第２のデータパケットのために使用されるＱＦＩを有する第２のＳＤＡＰヘッダフィールドとを含み、前記第２のＳＤＡＰヘッダフィールドの前記ＱＦＩの長さが、前記第１のＳＤＡＰヘッダフィールドの前記ＱＦＩの長さよりも短い、前記無線端末と前記基地局との間の第２のデータパケットの通信を提供することをさらに含む、請求項１に記載の方法。
【請求項３】
前記ＲＲＣメッセージからの前記情報が、前記反射ＱｏＳフローを反射ＱｏＳフローであると識別する、請求項２に記載の方法。
【請求項４】
前記無線端末と前記基地局との間に第１のデータ無線ベアラ（ＤＲＢ）を確立すること（１１０７）と、
前記無線端末と前記基地局との間に第２のＤＲＢを確立すること（１１０７）と
をさらに含み、
前記第１のデータパケットの通信を提供することが、前記第１のＤＲＢ上の前記非反射ＱｏＳフローを使用して前記第１のデータパケットの通信を提供することを含み、
前記第２のデータパケットの通信を提供することが、前記第２のＤＲＢ上の前記反射ＱｏＳフローを使用して前記第２のデータパケットの通信を提供することを含む、
請求項２または３に記載の方法。
【請求項５】
前記ＲＲＣメッセージからの前記情報が、前記第１のＤＲＢを非反射ＱｏＳフローに関するＤＲＢとして識別し、および／または、前記ＲＲＣメッセージからの前記情報が、前記第２のＤＲＢを反射ＱｏＳフローに関するＤＲＢとして識別する、請求項４に記載の方法。
【請求項６】
前記第２のＳＤＡＰヘッダフィールドの前記ＱＦＩが６ビットＱＦＩである、請求項２から５のいずれか一項に記載の方法。
【請求項７】
前記第１のＳＤＡＰヘッダフィールドが、反射ＱｏＳインジケータ（ＲＱＩ）なしで、前記第１のＳＤＡＰヘッダフィールドの前記ＱＦＩと、反射ＱｏＳからＤＲＢへのマッピング指示（ＲＤＩ）とを含み、前記第２のＳＤＡＰヘッダフィールドが、前記第２のＳＤＡＰヘッダフィールドの前記ＱＦＩと、前記第２のＳＤＡＰヘッダフィールドのＲＱＩと、ＲＤＩとを含む、請求項２から６のいずれか一項に記載の方法。
【請求項８】
前記無線端末と前記基地局との間にデータ無線ベアラ（ＤＲＢ）を確立すること（１１０７）をさらに含み、
前記データパケットの通信を提供することが、前記ＤＲＢ上の前記非反射ＱｏＳフローを使用して前記データパケットの通信を提供することを含む、
請求項１に記載の方法。
【請求項９】
前記ＲＲＣメッセージからの前記情報が、前記ＤＲＢを非反射ＱｏＳフローに関するＤＲＢとして識別する、請求項８に記載の方法。
【請求項１０】
前記ＲＲＣメッセージからの前記情報が、前記非反射ＱｏＳフローを非反射ＱｏＳフローであるとして識別する、請求項１から９のいずれか一項に記載の方法。
【請求項１１】
通信を提供することが、前記非反射ＱｏＳフローを介して前記無線端末から前記基地局に前記データパケットを送信することを含む、請求項１から１０のいずれか一項に記載の方法。
【請求項１２】
通信を提供することが、前記非反射ＱｏＳフローを介して前記無線端末において前記基地局から前記データパケットを受信することを含む、請求項１から１０のいずれか一項に記載の方法。
【請求項１３】
前記ＳＤＡＰヘッダフィールドの前記ＱＦＩが７ビットＱＦＩである、請求項１から１２のいずれか一項に記載の方法。
【請求項１４】
前記ＳＤＡＰヘッダフィールドが、反射ＱｏＳインジケータ（ＲＱＩ）なしで、前記ＱＦＩと、反射ＱｏＳフローからＤＲＢへのマッピング指示（ＲＤＩ）とを提供される、請求項１から１３のいずれか一項に記載の方法。
【請求項１５】
基地局（ｇＮＢ）と通信する無線端末（ＵＥ）を動作させる方法であって、
サービス品質（ＱｏＳ）フローを使用して前記無線端末と前記基地局との間のデータパケットの通信を提供すること（１１１５、１１１７）であって、前記ＱｏＳフローが、反射ＱｏＳフローまたは非反射ＱｏＳフローのいずれかであり、前記データパケットが、データフィールドと、サービスデータアプリケーションプロトコル（ＳＤＡＰ）ヘッダフィールドとを含み、前記ＳＤＡＰヘッダフィールドのフォーマットが、反射ＱｏＳフローまたは非反射ＱｏＳフローである前記ＱｏＳフローに基づいて決定される、前記無線端末と前記基地局との間のデータパケットの通信を提供することを含む、方法。
【請求項１６】
前記ＱｏＳフローが非反射ＱｏＳフローであり、前記ＳＤＡＰヘッダフィールドが、前記ＱｏＳフローが非反射ＱｏＳフローであることに応答して、ＱｏＳフローアイデンティティ（ＱＦＩ）と、反射ＱｏＳフローからＤＲＢへのマッピング指示（ＲＤＩ）とを含むフォーマットを有する、請求項１５に記載の方法。
【請求項１７】
前記ＱＦＩが７ビットＱＦＩであり、前記ＲＤＩが１ビットＲＤＩである、請求項１６に記載の方法。
【請求項１８】
前記ＳＤＡＰヘッダフィールドが、反射ＱｏＳインジケータ（ＲＱＩ）なしで、前記ＱＦＩと前記ＲＤＩとを提供される、請求項１６または１７のいずれか一項に記載の方法。
【請求項１９】
前記ＱｏＳフローが反射ＱｏＳフローであり、前記ＳＤＡＰヘッダフィールドが、前記ＱｏＳフローが反射ＱｏＳフローであることに応答して、ＱｏＳフローアイデンティティ（ＱＦＩ）と、反射ＱｏＳインジケータ（ＲＱＩ）と、反射ＱｏＳフローからＤＲＢへのマッピング指示（ＲＤＩ）とを含むフォーマットを有する、請求項１５に記載の方法。
【請求項２０】
前記データパケットが第１のデータパケットであり、前記ＱｏＳフローが第１のＱｏＳフローであり、前記データフィールドが第１のデータフィールドであり、前記ＳＤＡＰヘッダフィールドが第１のＳＤＡＰヘッダフィールドであり、前記方法が、
第２のサービス品質（ＱｏＳ）フローを使用して前記無線端末と前記基地局との間の第２のデータパケットの通信を提供すること（１１１５）であって、前記第２のＱｏＳフローが非反射ＱｏＳフローであり、前記第２のデータパケットが、第２のデータフィールドと、第２のＳＤＡＰヘッダフィールドとを含み、前記第２のＳＤＡＰヘッダフィールドが、前記ＱｏＳフローが非反射ＱｏＳフローであることに応答して、ＱｏＳフローアイデンティティ（ＱＦＩ）と、反射ＱｏＳフローからＤＲＢへのマッピング指示（ＲＤＩ）とを含むフォーマットを有し、前記第２のＳＤＡＰヘッダフィールドの前記ＱＦＩが前記第１のＳＤＡＰヘッダフィールドの前記ＱＦＩよりも長い、前記無線端末と前記基地局との間の第２のデータパケットの通信を提供することをさらに含む、
請求項１９に記載の方法。
【請求項２１】
前記無線端末と前記基地局との間に第１のデータ無線ベアラ（ＤＲＢ）を確立すること（１１０７）と、
前記無線端末と前記基地局との間に第２のＤＲＢを確立すること（１１０７）と
をさらに含み、
前記第１のデータパケットの通信を提供することが、前記第１のＤＲＢ上の前記第１のＱｏＳフローを使用して前記第１のデータパケットの通信を提供することを含み、
前記第２のデータパケットの通信を提供することが、前記第２のＤＲＢ上の前記第２のＱｏＳフローを使用して前記第２のデータパケットの通信を提供することを含む、
請求項２０に記載の方法。
【請求項２２】
前記基地局から無線リソース制御（ＲＲＣ）メッセージを受信すること（１１０３）であって、前記ＲＲＣメッセージが、反射および／または非反射である少なくとも１つのＱｏＳフローに関する情報を含み、前記ヘッダフィールドの前記フォーマットが、前記ＲＲＣメッセージからの前記情報を使用して、反射ＱｏＳフローまたは非反射ＱｏＳフローである前記ＱｏＳフローに基づいて決定される、前記基地局から無線リソース制御（ＲＲＣ）メッセージを受信すること
をさらに含む、請求項１５から２１のいずれか一項に記載の方法。
【請求項２３】
通信を提供することが、前記ＱｏＳフローを介して前記無線端末から前記基地局に前記データパケットを送信することを含む、請求項１５から２２のいずれか一項に記載の方法。
【請求項２４】
通信を提供することが、前記ＱｏＳフローを介して前記無線端末において前記基地局から前記データパケットを受信することを含む、請求項１５から２２のいずれか一項に記載の方法。
【請求項２５】
無線端末（ＵＥ）であって、前記無線端末が請求項１から２４のいずれか一項に記載の動作を実行するように適合されている、無線端末（ＵＥ）。
【請求項２６】
無線通信ネットワークにおいて無線通信を提供するように設定されたトランシーバ（８０１）と、
前記トランシーバに結合されたプロセッサ（８０３）であって、前記プロセッサが、前記トランシーバを介して前記無線通信ネットワークとの無線通信を提供するように設定され、前記プロセッサが、請求項１から２４のいずれか一項に記載の動作を実行するようにさらに設定される、プロセッサと
を備える無線端末（ＵＥ）。
【請求項２７】
無線端末（ＵＥ）と通信する無線通信ネットワークの基地局（ｇＮＢ）を動作させる方法であって、
反射および／または非反射である少なくとも１つのサービス品質（ＱｏＳ）フローに関する情報をコアネットワーク（ＣＮ）ノードから受信すること（１２０３）と、
反射および／または非反射である少なくとも１つのサービス品質（ＱｏＳ）フローに関する前記情報に基づいて、無線リソース制御（ＲＲＣ）メッセージを前記無線端末に送信すること（１２０４）と、
非反射ＱｏＳフローを使用して、前記基地局と前記無線端末との間のデータパケットの通信を提供すること（１２１５）であって、前記データパケットが、データフィールドと、ＱｏＳフローアイデンティティ（ＱＦＩ）を有するサービスデータアプリケーションプロトコル（ＳＤＡＰ）ヘッダフィールドとを含み、前記ＱＦＩが、前記ＣＮノードからの前記情報に基づいて前記データパケットのために使用される、前記基地局と前記無線端末との間のデータパケットの通信を提供することと
を含む、方法。
【請求項２８】
前記データパケットが第１のデータパケットであり、前記データフィールドが第１のデータフィールドであり、前記ＳＤＡＰヘッダが第１のＳＤＡＰヘッダであり、前記方法が、
反射ＱｏＳフローを使用して前記基地局と前記無線端末との間の第２のデータパケットの通信を提供すること（１２１７）であって、前記第２のデータパケットが、第２のデータフィールドと、前記ＣＮノードからの前記情報に基づいて前記第２のデータパケットのために使用されるＱＦＩを有する第２のＳＤＡＰヘッダフィールドとを含み、前記第２のＳＤＡＰヘッダフィールドの前記ＱＦＩの長さが、前記第１のＳＤＡＰヘッダフィールドの前記ＱＦＩの長さよりも短い、前記基地局と前記無線端末との間の第２のデータパケットの通信を提供することをさらに含む、請求項２７に記載の方法。
【請求項２９】
前記ＣＮノードからの前記情報が、前記反射ＱｏＳフローを反射ＱｏＳフローとして識別する、請求項２８に記載の方法。
【請求項３０】
前記基地局と前記無線端末との間に第１のデータ無線ベアラ（ＤＲＢ）を確立すること（１２０７）と、
前記基地局と前記無線端末との間に第２のＤＲＢを確立すること（１２０７）と
をさらに含み、
前記第１のデータパケットの通信を提供することが、前記第１のＤＲＢ上の前記非反射ＱｏＳフローを使用して前記第１のデータパケットの通信を提供することを含み、
前記第２のデータパケットの通信を提供することが、前記第２のＤＲＢ上の前記反射ＱｏＳフローを使用して前記第２のデータパケットの通信を提供することを含む、
請求項２８または２９に記載の方法。
【請求項３１】
前記ＣＮノードからの前記情報が、前記第１のＤＲＢを非反射ＱｏＳフローに関するＤＲＢとして識別し、および／または、前記ＲＲＣメッセージからの前記情報が、前記第２のＤＲＢを、反射ＱｏＳフローに関するＤＲＢとして識別する、請求項３０に記載の方法。
【請求項３２】
前記第２のＳＤＡＰヘッダフィールドの前記ＱＦＩが６ビットＱＦＩである、請求項２８から３１のいずれか一項に記載の方法。
【請求項３３】
前記第１のＳＤＡＰヘッダフィールドが、反射ＱｏＳインジケータ（ＲＱＩ）なしで、前記第１のＳＤＡＰヘッダフィールドの前記ＱＦＩと、反射ＱｏＳからＤＲＢへのマッピング指示（ＲＤＩ）とを含み、前記第２のＳＤＡＰヘッダフィールドが、前記第２のＳＤＡＰヘッダフィールドの前記ＱＦＩと、前記第２のＳＤＡＰヘッダフィールドのＲＱＩと、ＲＤＩとを含む、請求項２８から３２のいずれか一項に記載の方法。
【請求項３４】
前記基地局と前記無線端末との間にデータ無線ベアラ（ＤＲＢ）を確立すること（１２０７）をさらに含み、
前記データパケットの通信を提供することが、前記ＤＲＢ上の前記非反射ＱｏＳフローを使用して前記データパケットの通信を提供することを含む、
請求項２７に記載の方法。
【請求項３５】
前記ＣＮノードからの前記情報が、前記非反射ＱｏＳフローを非反射ＱｏＳフローであるとして識別する、請求項２７から３４のいずれか一項に記載の方法。
【請求項３６】
通信を提供することが、前記非反射ＱｏＳフローを介して前記基地局から前記無線端末に前記データパケットを送信することを含む、請求項２７から３５のいずれか一項に記載の方法。
【請求項３７】
通信を提供することが、前記非反射ＱｏＳフローを介して前記基地局において前記無線端末から前記データパケットを受信することを含む、請求項２７から３６のいずれか一項に記載の方法。
【請求項３８】
前記ＣＮノードからの前記情報が反射ＱｏＳ属性（ＲＱＡ）を含む、請求項２７から３７のいずれか一項に記載の方法。
【請求項３９】
前記ＳＤＡＰヘッダフィールドの前記ＱＦＩが７ビットＱＦＩである、請求項２７から３８のいずれか一項に記載の方法。
【請求項４０】
前記ＳＤＡＰヘッダフィールドが、反射ＱｏＳインジケータ（ＲＱＩ）なしで、前記ＱＦＩと、反射ＱｏＳフローからＤＲＢへのマッピング指示（ＲＤＩ）とを提供される、請求項２７から３９のいずれか一項に記載の方法。
【請求項４１】
無線端末（ＵＥ）と通信する無線通信ネットワークの基地局（ｇＮＢ）を動作させる方法であって、
サービス品質（ＱｏＳ）フローを使用して、前記基地局と前記無線端末との間のデータパケットの通信を提供すること（１２１５、１２１７）であって、前記ＱｏＳフローが、反射ＱｏＳフローまたは非反射ＱｏＳフローのいずれかであり、前記データパケットが、データフィールドと、サービスデータアプリケーションプロトコル（ＳＤＡＰ）ヘッダフィールドとを含み、前記ＳＤＡＰヘッダフィールドのフォーマットが、反射ＱｏＳフローまたは非反射ＱｏＳフローである前記ＱｏＳフローに基づいて決定される、前記基地局と前記無線端末との間のデータパケットの通信を提供することを含む、方法。
【請求項４２】
前記ＱｏＳフローが非反射ＱｏＳフローであり、前記ＳＤＡＰヘッダフィールドが、非反射ＱｏＳフローである前記ＱｏＳフローに応答して、ＱｏＳフローアイデンティティ（ＱＦＩ）と、反射ＱｏＳフローからＤＲＢへのマッピング指示（ＲＤＩ）とを含むフォーマットを有する、請求項４１に記載の方法。
【請求項４３】
前記ＱＦＩが７ビットＱＦＩであり、前記ＲＤＩが１ビットＲＤＩである、請求項４２に記載の方法。
【請求項４４】
前記ＳＤＡＰヘッダフィールドが、反射ＱｏＳインジケータ（ＲＱＩ）なしで、前記ＱＦＩと前記ＲＤＩとを提供される、請求項４２または４３に記載の方法。
【請求項４５】
前記ＱｏＳフローが反射ＱｏＳフローであり、前記ＳＤＡＰヘッダフィールドが、反射ＱｏＳフローである前記ＱｏＳフローに応答して、ＱｏＳフローアイデンティティ（ＱＦＩ）と、反射ＱｏＳインジケータ（ＲＱＩ）と、１ビットの反射ＱｏＳフローからＤＲＢへのマッピング指示（ＲＤＩ）とを含むフォーマットを有する、請求項４１に記載の方法。
【請求項４６】
前記データパケットが第１のデータパケットであり、前記ＱｏＳフローが第１のＱｏＳフローであり、前記データフィールドが第１のデータフィールドであり、前記ヘッダフィールドが第１のヘッダフィールドであり、前記方法が、
第２のサービス品質（ＱｏＳ）フローを使用して、前記基地局と前記無線端末との間の第２のデータパケットの通信を提供すること（１２１５）であって、前記第２のＱｏＳフローが非反射ＱｏＳフローであり、前記第２のデータパケットが、第２のデータフィールドと第２のＳＤＡＰヘッダフィールドとを含み、前記第２のＳＤＡＰヘッダフィールドが、非反射ＱｏＳフローである前記ＱｏＳフローに応答して、ＱｏＳフローアイデンティティ（ＱＦＩ）と、反射ＱｏＳフローからＤＲＢへのマッピング指示（ＲＤＩ）とを含むフォーマットを有する、前記基地局と前記無線端末との間の第２のデータパケットの通信を提供すること
をさらに含む、請求項４５に記載の方法。
【請求項４７】
前記基地局と前記無線端末との間に第１のデータ無線ベアラ（ＤＲＢ）を確立すること（１２０７）と、
前記基地局と前記無線端末との間に第２のＤＲＢを確立すること（１２０７）と
をさらに含み、
前記第１のデータパケットの通信を提供することが、前記第１のＤＲＢ上の前記第１のＱｏＳフローを使用して前記第１のデータパケットの通信を提供することを含み、
前記第２のデータパケットの通信を提供することが、前記第２のＤＲＢ上の前記第２のＱｏＳフローを使用して前記第２のデータパケットの通信を提供することを含む、
請求項４６に記載の方法。
【請求項４８】
前記基地局から前記無線端末に無線リソース制御（ＲＲＣ）メッセージを送信すること（１２０４）であって、前記ＲＲＣメッセージが、反射および／または非反射である少なくとも１つのＱｏＳフローに関する情報を含む、前記基地局から前記無線端末に無線リソース制御（ＲＲＣ）メッセージを送信すること
をさらに含む、請求項４１から４７のいずれか一項に記載の方法。
【請求項４９】
通信を提供することが、前記ＱｏＳフローを介して前記基地局から前記無線端末に前記データパケットを送信することを含む、請求項４１から４８のいずれか一項に記載の方法。
【請求項５０】
通信を提供することが、前記ＱｏＳフローを介して前記基地局において前記無線端末から前記データパケットを受信することを含む、請求項４１から４８のいずれか一項に記載の方法。
【請求項５１】
反射および／または非反射である少なくとも１つのサービス品質（ＱｏＳ）フローに関するコアネットワーク（ＣＮ）ノードからの情報を受信すること（１２０３）であって、前記ＳＤＡＰヘッダフィールドの前記フォーマットが、前記ＣＮノードからの前記情報を使用して、反射ＱｏＳフローまたは非反射ＱｏＳフローである前記ＱｏＳフローに基づいて決定される、少なくとも１つのサービス品質（ＱｏＳ）フローに関するコアネットワーク（ＣＮ）ノードからの情報を受信すること
をさらに含む、請求項５１から５０のいずれか一項に記載の方法。
【請求項５２】
基地局（ｇＮＢ）であって、前記基地局が請求項２７から５１のいずれか一項に記載の動作を実行するように適合された、基地局（ｇＮＢ）。
【請求項５３】
無線端末との無線通信を提供するように設定されたトランシーバ（９０１）と、
無線通信ネットワークの他のノードとの通信を提供するように設定されたネットワークインターフェース（９０７）と、
前記トランシーバおよび前記ネットワークインターフェースと結合されたプロセッサ（９０３）であって、前記トランシーバを介して前記無線通信ネットワークとの無線通信を提供するように設定され、前記ネットワークインターフェースを介して前記無線通信ネットワークの他のノードとのネットワーク通信を提供するように設定され、請求項２７から５１のいずれか一項に記載の動作を実行するようにさらに設定される、プロセッサと
を備える基地局（ｇＮＢ）。
【請求項５４】
無線通信ネットワークのコアネットワーク（ＣＮ）ノードを動作させる方法であって、
しきい値よりも大きい値を有する５Ｇ  ＱｏＳインジケータ（５ＱＩ）を使用して基地局（ｇＮＢ）と無線端末（ＵＥ）との間の３ＧＰＰアクセスのために反射サービス品質（ＱｏＳ）フローが確立されることを決定すること（１３０３、１３０５）と、
前記しきい値よりも大きい前記値を有する前記５ＱＩを使用して前記３ＧＰＰアクセスのために確立されている前記反射ＱｏＳフローに応答して、前記反射ＱｏＳフローに関する情報を前記基地局に送信すること（１３０７）であって、前記反射ＱｏＳフローに関する前記情報が、ＱｏＳフローアイデンティティ（ＱＦＩ）と、前記しきい値よりも大きい前記値を有する前記５ＱＩとを含む、前記反射ＱｏＳフローに関する情報を前記基地局に送信することと
を含む、方法。
【請求項５５】
前記ＱＦＩが６ビットＱＦＩであり、前記５ＱＩが６４よりも大きい値を有する、請求項５４に記載の方法。
【請求項５６】
前記反射ＱｏＳフローが第１の反射ＱｏＳフローであり、前記ＱＦＩが第１のＱＦＩであり、前記５ＱＩが第１の５ＱＩであり、前記方法が、
前記しきい値よりも小さい値を有する第２の５ＱＩを使用して前記基地局と前記無線端末との間の前記３ＧＰＰアクセスのために第２の反射サービス品質（ＱｏＳ）フローが確立されることを決定すること（１３０３、１３０５）と、
前記しきい値よりも小さい前記値を有する前記第２の５ＱＩを使用して前記３ＧＰＰアクセスのために確立されている前記第２の反射ＱｏＳフローに応答して、前記第２の反射ＱｏＳフローに関する情報を前記基地局に送信すること（１３０９）であって、前記第２の反射ＱｏＳフローに関する前記情報が、前記第２の５ＱＩを別個に含むことなく、前記しきい値よりも小さい前記値を有する前記第２の５ＱＩにマッピングする第２のＱＦＩを含む、前記第２の反射ＱｏＳフローに関する情報を前記基地局に送信することと
をさらに含む、請求項５４または５５に記載の方法。
【請求項５７】
前記第２のＱＦＩが６ビットＱＦＩであり、前記５ＱＩが６３未満の値を有する、請求項５６に記載の方法。
【請求項５８】
前記ＱＦＩが第１のＱＦＩであり、前記しきい値よりも大きい値を有する前記５ＱＩが第１の５ＱＩであり、前記方法が、
前記しきい値よりも大きい値を有する第２の５ＱＩを使用して前記基地局と前記無線端末（ＵＥ）との間の前記３ＧＰＰアクセスのために非反射ＱｏＳフローが確立されることを決定すること（１３０３）と、
前記３ＧＰＰアクセスのために確立されている前記非反射ＱｏＳフローに応答して、前記非反射ＱｏＳフローに関する情報を前記基地局に送信すること（１３１１）であって、前記非反射ＱｏＳフローに関する前記情報が、前記第２の５ＱＩを別個に含むことなく、前記しきい値よりも大きい前記値を有する前記第２の５ＱＩにマッピングする第２のＱＦＩを含む、前記非反射ＱｏＳフローに関する情報を前記基地局に送信することと
をさらに含む、請求項５４に記載の方法。
【請求項５９】
前記第２のＱＦＩが前記第１のＱＦＩよりも長い、請求項５８に記載の方法。
【請求項６０】
前記第２のＱＦＩが７ビットＱＦＩであり、前記５ＱＩが６４よりも大きい値を有する、請求項５８または５９に記載の方法。
【請求項６１】
コアネットワーク（ＣＮ）ノードであって、請求項５４から６０のいずれか一項に記載の動作を実行するように適合された、コアネットワーク（ＣＮ）ノード。
【請求項６２】
無線通信ネットワークの他のノードとの通信を提供するように設定されたネットワークインターフェース（１００７）と、
前記ネットワークインターフェースと結合されたプロセッサ（１００３）であって、前記ネットワークインターフェースを介して前記無線通信ネットワークの他のノードとのネットワーク通信を提供するように設定され、請求項５４から６０のいずれか一項に記載の動作を実行するようにさらに設定される、プロセッサと
を備えるコアネットワーク（ＣＮ）ノード。
【請求項６３】
基地局（ｇＮＢ）と通信する無線端末（ＵＥ）を動作させる方法であって、
前記ｇＮＢから、非アクセス層（ＮＡＳ）ＱＦＩ値からアクセス層（ＡＳ）ＱＦＩ値へのＱｏＳフローアイデンティティ（ＱＦＩ）マッピングを示す設定を受信することと、
ＡＳ  ＱＦＩ値に関連付けられた前記ｇＮＢとデータトラフィックを交換することと、
前記ＡＳ  ＱＦＩ値が６４未満の場合、前記ＵＥが、前記ＡＳ  ＱＦＩ値をＮＡＳ  ＱＦＩ値として使用し、
前記ＡＳ  ＱＦＩ値が６３よりも大きい場合、前記ＵＥが、前記ｇＮＢから受信した前記マッピングによって示されるＮＡＳ  ＱＦＩ値を使用する、
ように前記ＮＡＳ  ＱＦＩを決定することと
を含む、方法。
【請求項６４】
前記ＱＦＩマッピングを示す前記設定が、前記ｇＮＢからの動的シグナリングによって受信されている、請求項６３に記載の方法。
【請求項６５】
前記ＱＦＩマッピングを示す前記設定が、ＲＲＣメッセージ、例えば、ＲＲＣ無線ベアラ設定メッセージによって受信されている、請求項６３または６４に記載の方法。
【請求項６６】
設定に関連付けられた前記ＡＳ  ＱＦＩ値が、ＰＤＵセッションごとに受信される、請求項６３から６５のいずれか一項に記載の方法。
【請求項６７】
前記決定することが、前記ＵＥにおけるサービスデータアプリケーションプロトコルＳＤＡＰレイヤ機能によって実行される、請求項６３から６６のいずれか一項に記載の方法。
【請求項６８】
前記データトラフィックが、前記ｇＮＢに送られるべきアクセス層レイヤの上のより高いプロトコルレイヤから受信され、前記ＳＤＡＰレイヤ機能が、前記データトラフィックのＮＡＳ  ＱＦＩからＡＳ  ＱＦＩへのマッピングを実行する、請求項６３から６７のいずれか一項に記載の方法。
【請求項６９】
前記データトラフィックが前記ｇＮＢから受信される、請求項６３から６７のいずれか一項に記載の方法。
【請求項７０】
無線端末（ＵＥ）であって、請求項６３から６９のいずれか一項に記載のステップを実行するように適合された、無線端末（ＵＥ）。
【請求項７１】
無線通信ネットワークにおいて無線通信を提供するように設定されたトランシーバ（８０１）と、
前記トランシーバに結合されたプロセッサ（８０３）であって、前記トランシーバを介して前記無線通信ネットワークとの無線通信を提供するように設定され、請求項６３から６９のいずれか一項に記載の動作を実行するようにさらに設定される、プロセッサと
を備える無線端末（ＵＥ）。
【請求項７２】
ＵＥと通信する基地局（ｇＮＢ）を動作させる方法であって、前記方法が、
非アクセス層（ＮＡＳ）ＱＦＩ値からアクセス層（ＡＳ）ＱＦＩ値へのＱｏＳフローアイデンティティ（ＱＦＩ）マッピングを示す設定を前記ＵＥに送信することを含み、
前記マッピングが、
前記ＡＳ  ＱＦＩ値が６４未満である場合、前記ＡＳ  ＱＦＩ値をＮＡＳ  ＱＦＩ値として使用し、
前記ＡＳ  ＱＦＩ値が６３よりも大きい場合、前記マッピングによって示されるＮＡＳ  ＱＦＩ値を使用する
ように前記ＮＡＳ  ＱＦＩ値を決定するための情報を含む、方法。
【請求項７３】
ＡＳ  ＱＦＩ値に関連付けられた前記ＵＥとデータトラフィックを交換することと、
前記ＡＳ  ＱＦＩ値が６４未満である場合、前記ＡＳ  ＱＦＩ値をＮＡＳ  ＱＦＩ値として使用し、
前記ＡＳ  ＱＦＩ値が６３よりも大きい場合、前記ＵＥが、前記ＵＥに送信された前記マッピングによって示されるＮＡＳ  ＱＦＩ値を使用する
ように前記ＵＥから受信したデータトラフィックの前記ＮＡＳ  ＱＦＩを決定することと
をさらに含む、請求項７２に記載の方法。
【請求項７４】
前記ＱＦＩマッピングを示す前記設定が、前記ＵＥへの動的シグナリングによって送信されている、請求項７２または７３に記載の方法。
【請求項７５】
前記ＱＦＩマッピングを示す前記設定が、ＲＲＣメッセージ、例えば、ＲＲＣ無線ベアラ設定メッセージによって送信されている、請求項７２から７４のいずれか一項に記載の方法。
【請求項７６】
設定に関連付けられた前記ＡＳ  ＱＦＩ値が、ＰＤＵセッションごとに受信される、請求項７２から７５のいずれか一項に記載の方法。
【請求項７７】
基地局（ｇＮＢ）であって、請求項７２から７６のいずれか一項に記載の動作を実行するように適合された、基地局（ｇＮＢ）。
【請求項７８】
無線端末との無線通信を提供するように設定されたトランシーバ（９０１）と、
無線通信ネットワークの他のノードとの通信を提供するように設定されたネットワークインターフェース（９０７）と、
前記トランシーバおよび前記ネットワークインターフェースと結合されたプロセッサ（９０３）であって、前記トランシーバを介して前記無線通信ネットワークとの無線通信を提供するように設定され、前記ネットワークインターフェースを介して前記無線通信ネットワークの他のノードとのネットワーク通信を提供するように設定され、請求項７２から７６のいずれか一項に記載の動作を実行するようにさらに設定される、プロセッサと
を備える基地局（ｇＮＢ）。
【発明の詳細な説明】
【技術分野】
【０００１】
本開示は、通信に関し、より具体的には、無線通信、ならびに、関連する無線端末、基地局、およびネットワークノードに関する。
【背景技術】
【０００２】
５Ｇシステム設計は、データ接続性とサービスとをサポートし、様々な技術、例えば、ネットワーク機能仮想化およびソフトウェア規定ネットワーキングを使用するための配備を可能にする。５Ｇシステムは、制御プレーン（ＣＰ）ネットワーク機能間のサービスベースの相互作用を活用する。
【０００３】
独立したスケーラビリティ、進化、および柔軟な配備（例えば、集中化した場所、または分散／遠隔場所）を可能にするために、５Ｇシステム設計は、ユーザプレーン（ＵＰ）機能を制御プレーン（ＣＰ）機能から分離している。加えて、そのようなシステムは、柔軟で効率的なネットワークスライスが可能にされ得るように、モジュール式に設計される。
【０００４】
５Ｇコアアーキテクチャは、アクセスネットワークとコアネットワーク（ＣＮ）との間の依存関係を低減／最小化し、様々な無線アクセス技術がコアに接続することを可能にするように共通ＡＮ−ＣＮインターフェースを規定することを目的とする。これは、３ＧＰＰならびに非３ＧＰＰアクセス技術が５Ｇコアネットワークにアクセスすることを可能にし得る。［３ＧＰＰ  ＴＳ  ２３．５０１］
【０００５】
３ＧＰＰアクセスを有する５Ｇシステムアーキテクチャについて、以下で論じる。
【０００６】
５Ｇシステムは、制御プレーン（ＣＰ）内のアクセスおよびモビリティ管理機能（ＡＭＦ）などのネットワーク機能が、承認されたネットワーク機能がサービスにアクセスすることを可能にするサービスベースのアーキテクチャをサポートし得る。この表現は、必要な場合、ポイントツーポイントの参照ポイントも含み得る。
【０００７】
図１は、任意の２つのネットワーク機能（例えば、ＡＭＦおよびＳＭＦ）間のポイントツーポイント参照ポイント（例えば、Ｎ１１）によって記述されるネットワーク機能サービス間の相互作用を示す参照ポイント表現を示す。したがって、図１は、５Ｇアーキテクチャの要素を示すブロック図である。
【０００８】
ＲＡＮ内の５Ｇ  ＱｏＳについて、以下で論じる。
【０００９】
５Ｇ  ＱｏＳは、ＵＥとピアとの間に一貫したパケット転送処理を作成することによってエンドツーエンドで確立されるエンティティを含む。５Ｇコアネットワークは、多くのネットワークユーザ間のパケット処理を管理する役割を果たすので、各ＵＥのＱｏＳ挙動が必要になる場合がある。ＱｏＳ情報を保持する設定および標準化されたプロファイルに基づいて、ネットワーク機器は、特定のＵＥの意図されたネットワーク挙動と一致するパケットの処理を決定し得る。エンドツーエンドシステムを調整するために、ＰＤＵセッション、ＱＦＩ、およびＤＲＢなどのいくつかの構成要素が、５Ｇシステムにおいて規定されている。図２は、５Ｇ  ＱｏＳシステムの高レベル構成要素を示す図である。
【００１０】
ＰＤＵセッションについて、以下で論じる。
【００１１】
５Ｇ  ＰＤＵセッションは、ＰＤＵ接続性サービスを提供するＵＥとデータネットワークとの間の関連付けであり、パケットデータユニット（ＰＤＵ）がＵＥとデータネットワーク（ＤＮ）との間で交換される（図１を参照されたい）。関連付けのタイプは、ＩＰ、イーサネット、または非構造化であり得る。ＵＥは、複数の同時ＰＤＵセッションを有し得る。
【００１２】
ＰＤＵセッションにおけるＱｏＳパラメータについて、以下で論じる。
【００１３】
ＵＥのトラフィックレートは、アグリゲート化最大ビットレート（ＡＭＢＲ）に従ってＰＤＵセッションごとに制御され得る。加えて、各ＵＥは、ＵＥごとのアグリゲート化最大ビットレート（ＵＥ−ＡＭＢＲ）に関連付けられる。ＵＥ−ＡＭＢＲは、ＵＥのすべての非ＧＢＲ  ＱｏＳフローにわたって提供されると予想され得るアグリゲートビットレートを制限する。ＵＥ−ＡＭＢＲは、無線アクセスネットワークＲＡＮによって実施される。ＵＥ−ＡＭＢＲ情報は、ＡＭＦまたはＳＭＦによって提供される。
【００１４】
ＱｏＳフローは、ＰＤＵセッションにおけるＱｏＳ差別化の最も細かい粒度である。ＱｏＳフローは、ＰＤＵセッション内で一意であり、ＱｏＳフローインジケータが各ＱｏＳフローに割り当てられる。ＮＡＳ  ＱｏＳフローは、ＵＰＦ機能においてマークされる。ＰＤＵセッション内で同じＱＦＩを有するユーザプレーントラフィックは、同じトラフィック転送処理を受け取る。ＱＦＩは、Ｎ３（およびＮ９）上のカプセル化ヘッダにおいて（すなわち、ｅ２ｅパケットヘッダへのどのような変更もなしに）搬送される。これは、異なるタイプのペイロード、すなわち、ＩＰパケットを有するＰＤＵ、非構造化ＰＤＵ、およびイーサネットフレームに適用され得る。ＱＦＩは、ＲＡＮのためのＱｏＳパラメータ情報を提供する５ＱＩ情報に関連付けられる。同じＰＤＵセッション内のフローは、同じ５ＱＩを使用し得る。ＱｏＳフローは、保証ビットレートフローまたは非保証ビットレートフローとして設定され得る。
【００１５】
ＱｏＳフローは、３ＧＰＰ  ＴＳ  ２３．５０１において規定されているパラメータに関連付けられる。これらのパラメータは、５ＱＩと、ＱｏＳフロータイプ（ＧＢＲまたは非ＧＢＲ）と、ＵＬおよびＤＬ  ＧＢＦＲレートと、通知制御パラメータとを含む。加えて、反射ＱｏＳ属性が、ＱｏＳフロー（ＲＱＡ）において搬送され得る。
【００１６】
無線プロトコルアーキテクチャについて、以下で論じる。
【００１７】
５Ｇシステムにおいて、ＵＥは、ｇＮＢおよびＡＭＦエンティティへの制御プレーン接続を有する。ＡＭＦエンティティへの接続は、ＮＡＳ接続として規定され、ｇＮＢ接続は、ＲＲＣ接続として規定される。これらの接続は、ＵＥが５ＧＣおよびＲＡＮ（ｇＮＢ）と通信することを可能にし得る。
【００１８】
ユーザプレーンＱｏＳハンドリングは、ＰＤＣＰレイヤの上にあるＳＤＡＰレイヤを使用して提供され得る。ＳＤＡＰレイヤの責任は、ＱＦＩのマーキングと、ＱｏＳフローのＤＲＢへのマッピングとを含み得る。
【００１９】
図３は、全体的なＲＡＮプロトコルアーキテクチャを示し、ＳＤＡＰレイヤは、ＴＳ  ３７．３２４に従って提供される。
【００２０】
ＤＬおよびＵＬ  ＱｏＳフレームワークについて、以下で論じる。
【００２１】
図４は、新無線（Ｎｅｗ  Ｒａｄｉｏ）ＮＲのためのダウンリンクＤＬ  ＱｏＳフレームワークの概要を示す図である。
【００２２】
図５は、アップリンクＵＬ  ＱｏＳフレームワークを示す図である。
【００２３】
ＱｏＳフレームワークおよび関連する問題に関する詳細について、ＲＡＮ２＃１００に対する３ＧＰＰ寄書は、既存のＱｏＳフレームワークの課題について論じている。
【００２４】
アクセス層ＡＳ反射ＱｏＳ、またはＡＳ反射ＱＦＩからＤＲＢへのマッピングは、無線アクセスネットワークＲＡＮが、無線リソース制御ＲＲＣシグナリングなしでＵＥのＱＦＩからＤＲＢへのマッピングを変更することを可能にするメカニズムである。このメカニズムは、http://www.3gpp.org/ftp/Specs/latest-drafts/37324-101.zipにおいて記載されている。
【００２５】
ＮＡＳ反射ＱｏＳは、３ＧＰＰ  ＴＳ  ２３．５０１  http://www.3gpp.org/ftp/Specs/latest-drafts/23501-140.zipにおいて記載されている。
【００２６】
反射ＱｏＳは、ＰＤＵセッションの確立時にＵＥにシグナリングされるか、またはデフォルト値に設定される反射ＱｏＳタイマ（ＲＱタイマ）値とともに、ＱＦＩとともにＮ３反射ポイントにおいてカプセル化ヘッダ内の反射ＱｏＳ表示（ＲＱＩ）を使用することによって、パケットごとに制御される。
【００２７】
ＳＭＦによってＮ２参照ポイント上のＮＧ−ＲＡＮに提供されるＱｏＳフローのＱｏＳプロファイル内のＲＱＡ（反射ＱｏＳ属性）は、このＱｏＳフロー上で搬送される一部の（必ずしもすべてではない）トラフィックが反射ＱｏＳの対象であることを示す。ＲＱＡは、ＮＧ−ＲＡＮにおけるＵＥコンテキストの確立時、およびＱｏＳフロー確立時にＮＧ−ＲＡＮに示される。
【００２８】
５ＧＣが特定のＳＤＦに反射ＱｏＳを使用することを決定すると、ＳＭＦは、反射ＱｏＳを使用するために、Ｎ４インターフェースを介してＵＰＦに提供される対応するＳＤＦ情報内に、反射ＱｏＳがこのＳＤＦに適用されるべきであるという指示を含めることになっている。
【００２９】
ＵＰＦがＳＤＦに関するこの指示を受信すると、ＵＰＦは、このＳＤＦに対応するすべてのＤＬパケットに関するＮ３参照ポイントにおけるカプセル化ヘッダ内のＲＱＩビットを設定することになっている。
【００３０】
ＲＱＩがＮ３参照ポイントにおけるＤＬパケットにおいて（Ｒ）ＡＮによって受信されると、（Ｒ）ＡＮは、ＵＥに、ＱＦＩと、このＤＬパケットが反射ＱｏＳの対象であることとを示すことになっている。
【００３１】
反射ＱｏＳ属性（ＲＱＡ）は、ＮＧ−ＲＡＮの場合、５．７．５．４節に記載されているように、反射ＱｏＳ制御が使用される場合、Ｎ２を介してＲＡＮにシグナリングされ得るオプションのパラメータである。ＲＱＡは、このＱｏＳフロー上の特定のトラフィックが反射ＱｏＳの対象であり得ることを示す。
【００３２】
無線アクセスネットワーク（ＲＡＮ）およびコアネットワーク（ＣＮ）は、異なるサイズのＱｏＳを使用する場合があり、これらの違いは、値範囲における違いに関する問題を引き起こす場合がある。
【発明の概要】
【００３３】
発明の概念のいくつかの実施形態によれば、基地局と通信する無線端末を動作させる方法が提供され得る。方法は、基地局から無線リソース制御ＲＲＣメッセージを受信することを含み得、ＲＲＣメッセージは、反射および／または非反射である少なくとも１つのサービス品質ＱｏＳフローに関する情報を含む。方法は、非反射ＱｏＳフローを使用して無線端末と基地局との間のデータパケットの通信を提供することも含み得、データパケットは、データフィールドと、ＱｏＳフローアイデンティティＱＦＩを有するサービスデータアプリケーションプロトコルＳＤＡＰヘッダフィールドとを含み、ＱＦＩは、ＲＲＣメッセージからの情報に基づいてデータパケットに対して使用される。
【００３４】
発明の概念のいくつかの他の実施形態によれば、基地局と通信する無線端末を動作させる方法が提供され得る。方法は、サービス品質ＱｏＳフローを使用して無線端末と基地局との間のデータパケットの通信を提供することを含み得る。ＱｏＳフローは、反射ＱｏＳフローまたは非反射ＱｏＳフローのいずれかであり、データパケットは、データフィールドと、サービスデータアプリケーションプロトコルＳＤＡＰヘッダフィールドとを含み、ＳＤＡＰヘッダフィールドのフォーマットは、反射ＱｏＳフローまたは非反射ＱｏＳフローであるＱｏＳフローに基づいて決定される。
【００３５】
発明の概念のさらに他の実施形態によれば、無線端末と通信する無線通信ネットワークの基地局を動作させる方法が提供され得る。方法は、反射および／または非反射である少なくとも１つのサービス品質ＱｏＳフローに関するコアネットワークＣＮノードからの情報を受信することと、反射および／または非反射である少なくとも１つのサービス品質ＱｏＳフローに関する情報に基づいて無線リソース制御ＲＲＣメッセージを無線端末に送信することとを含み得る。方法は、非反射ＱｏＳフローを使用して基地局と無線端末との間のデータパケットの通信を提供することも含み得、データパケットは、データフィールドと、ＱｏＳフローアイデンティティＱＦＩを有するサービスデータアプリケーションプロトコルＳＤＡＰヘッダフィールドとを含み、ＱＦＩは、ＣＮノードからの情報に基づいてデータパケットに対して使用される。
【００３６】
発明の概念のさらに他の実施形態によれば、無線端末と通信する無線通信ネットワークの基地局を動作させる方法が提供され得る。方法は、サービス品質ＱｏＳフローを使用して基地局と無線端末との間のデータパケットの通信を提供することを含み得、ＱｏＳフローは、反射ＱｏＳフローまたは非反射ＱｏＳフローのいずれかであり、データパケットは、データフィールドと、サービスデータアプリケーションプロトコルＳＤＡＰヘッダフィールドとを含み、ＳＤＡＰヘッダフィールドのフォーマットは、反射ＱｏＳフローまたは非反射ＱｏＳフローであるＱｏＳフローに基づいて決定される。
【００３７】
発明の概念のさらなる実施形態によれば、無線通信ネットワークのコアネットワークＣＮノードを動作させる方法が提供され得る。方法は、しきい値よりも大きい値を有する５Ｇ  ＱｏＳインジケータ５ＱＩを使用して基地局と無線端末との間の３ＧＰＰアクセスのために反射サービス品質ＱｏＳフローが確立されることを決定することを含み得る。方法は、しきい値よりも大きい値を有する５ＱＩを使用して３ＧＰＰアクセスのために確立されている反射ＱｏＳフローに応答して、反射ＱｏＳフローに関する情報を基地局に送信することも含み得、反射ＱｏＳフローに関する情報は、ＱｏＳフローアイデンティティＱＦＩと、しきい値よりも大きい値を有する５ＱＩとを含む。
【００３８】
本明細書で開示されるいくつかの実施形態によれば、無線端末（ＵＥ）は、以下、すなわち、
基地局（ｇＮＢまたはｅＮＢ）から、非アクセス層（ＮＡＳ）ＱＦＩ値からアクセス層（ＡＳ）ＱＦＩ値へのＱｏＳフローアイデンティティ（ＱＦＩ）マッピングを示す設定を受信し、
ＡＳ  ＱＦＩ値に関連付けられた基地局とデータトラフィックを交換し、
以下、すなわち、
ＡＳ  ＱＦＩ値が６４未満の場合、ＵＥは、ＡＳ  ＱＦＩ値をＮＡＳ  ＱＦＩ値として使用し、
ＡＳ  ＱＦＩ値が６３よりも大きい場合、ＵＥは、基地局から受信したマッピングによって示されるＮＡＳ  ＱＦＩ値を使用する、
ようにＮＡＳ  ＱＦＩを決定する
ように動作される。
【００３９】
本明細書で開示されるいくつかの実施形態によれば、基地局（ｇＮＢまたはｅＮＢ）は、以下、すなわち、
非アクセス層（ＮＡＳ）ＱＦＩ値からアクセス層（ＡＳ）ＱＦＩ値へのＱｏＳフローアイデンティティ（ＱＦＩ）マッピングを示す設定をＵＥに送信するように動作され、
マッピングが、以下、すなわち、
ＡＳ  ＱＦＩ値が６４未満である場合、ＡＳ  ＱＦＩ値をＮＡＳ  ＱＦＩ値として使用し、
ＡＳ  ＱＦＩ値が６３よりも大きい場合、マッピングによって示されるＮＡＳ  ＱＦＩ値を使用する
ようにＮＡＳ  ＱＦＩを決定するための情報を含む。
【００４０】
本明細書で開示されるいくつかの実施形態によれば、無線アクセスネットワークと５Ｇコアネットワークとを統合することの影響が低減され得、および／または、増大した範囲のＱＦＩがサポートされ得る。
【００４１】
本開示のさらなる理解を提供するために含まれ、本出願に組み込まれ、本出願の一部を構成する添付図面は、発明の概念の特定の非限定的な実施形態を示す。
【図面の簡単な説明】
【００４２】
【図１】５Ｇアーキテクチャの要素を示すブロック図である。
【図２】５Ｇ  ＱｏＳシステムの高レベル構成要素を示す図である。
【図３】ＲＡＮプロトコルアーキテクチャ全体を示す図である。
【図４】新無線ＮＲのためのダウンリンクＤＬ  ＱｏＳフレームワークの概要を示す図である。
【図５】アップリンクＵＬ  ＱｏＳフレームワークを示す図である。
【図６】発明の概念のいくつかの実施形態による６ビットＱＦＩを有するＳＤＡＰヘッダを示す図である。
【図７】発明の概念のいくつかの実施形態による７ビットＱＦＩを有するＳＤＡＰヘッダを示す図である。
【図８】発明の概念のいくつかの実施形態による無線端末ＵＥの要素を示すブロック図である。
【図９】発明の概念のいくつかの実施形態による基地局の要素を示すブロック図である。
【図１０】発明の概念のいくつかの実施形態によるコアネットワークＣＮノードの要素を示すブロック図である。
【図１１】発明の概念のいくつかの実施形態による無線端末ＵＥの動作を示すフローチャートである。
【図１２】発明の概念のいくつかの実施形態による基地局（ｇＮＢまたはｅＮＢ）の動作を示すフローチャートである。
【図１３】発明の概念のいくつかの実施形態によるコアネットワークＣＮノードの動作を示すフローチャートである。
【発明を実施するための形態】
【００４３】
ここで、発明の概念について、発明の概念の実施形態の例が示されている添付図面を参照して以下でより完全に説明する。しかしながら、発明の概念は、多くの異なる形態において具体化され得、本明細書に記載された実施形態に限定されると解釈されるべきではない。むしろ、これらの実施形態は、この開示が徹底的かつ完全であり、本発明の概念の範囲を当業者に完全に伝えるように提供される。これらの実施形態は、相互に排他的ではないことにも留意すべきである。１つの実施形態からの構成要素は、別の実施形態において存在／使用されると暗黙のうちに想定され得る。
【００４４】
以下の説明は、開示される主題の様々な実施形態を提示する。これらの実施形態は、教示例として提示され、開示される主題の範囲を限定するものとして解釈されるべきではない。例えば、説明されている実施形態の特定の詳細は、説明されている主題の範囲から逸脱することなく、修正、省略、または拡張され得る。
【００４５】
図８は、発明の概念の実施形態に従って無線通信を提供するように設定された無線端末ＵＥ（無線デバイス、無線通信デバイス、モバイル端末、無線通信端末、ユーザ機器、ユーザ機器ノード／端末／デバイスなどとも呼ばれる）の要素を示すブロック図である。図示されているように、無線端末ＵＥは、アンテナ８０７と、無線アクセスネットワークの基地局とのアップリンクおよびダウンリンク無線通信を提供するように設定された送信機および受信機を含むトランシーバ回路８０１（トランシーバとも呼ばれる）とを含み得る。無線端末ＵＥはまた、トランシーバ回路に結合されたプロセッサ回路８０３（プロセッサとも呼ばれる）と、プロセッサ回路に結合されたメモリ回路８０５（メモリとも呼ばれる）とを含み得る。メモリ回路８０５は、プロセッサ回路８０３によって実行されると、本明細書で開示される実施形態による動作をプロセッサ回路に実行させるコンピュータ可読プログラムコードを含み得る。他の実施形態によれば、プロセッサ回路８０３は、別個のメモリ回路が必要とされないように、メモリを含むように規定され得る。無線端末ＵＥは、プロセッサ８０３と結合されたインターフェース（ユーザインターフェースなど）も含み得、および／または、無線端末ＵＥは、車両内に組み込まれ得る。
【００４６】
本明細書で論じられるように、無線端末ＵＥの動作は、プロセッサ８０３および／またはトランシーバ８０１によって実行され得る。例えば、プロセッサ８０３は、無線インターフェースを介して基地局ｇＮＢにトランシーバ８０１を介して通信を送信し、および／または、無線インターフェースを介して基地局からトランシーバ８０１を介して通信を受信するようにトランシーバ８０１を制御し得る。さらに、モジュールがメモリ８０５内に記憶され得、これらのモジュールは、モジュールの命令がプロセッサ８０３によって実行されると、プロセッサ８０３がそれぞれの動作（例えば、例示的な実施形態に関して以下で論じる動作）を実行するように、命令を提供し得る。
【００４７】
図９は、発明の概念の実施形態による、セルラ通信を提供するように設定された無線アクセスネットワーク（ＲＡＮ）の基地局（ネットワークノード、基地局、ｅＮｏｄｅＢ、ｅＮＢ、ｇＮｏｄｅＢ、ｇＮＢなどとも呼ばれる）の要素を示すブロック図である。図示されているように、基地局は、無線端末とのアップリンクおよびダウンリンク無線通信を提供するように設定された送信機および受信機を含むトランシーバ回路９０１（トランシーバとも呼ばれる）を含み得る。基地局は、ＲＡＮおよび／またはローカルエリアネットワークの他のノード（例えば、基地局および／または他のエンティティ）との通信を提供するように設定されたネットワークインターフェース回路９０７（ネットワークインターフェースとも呼ばれる）を含み得る。基地局はまた、トランシーバ回路に結合されたプロセッサ回路９０３（プロセッサとも呼ばれる）と、プロセッサ回路に結合されたメモリ回路９０５（メモリとも呼ばれる）とを含み得る。メモリ回路９０５は、プロセッサ回路９０３によって実行されると、本明細書で開示される実施形態による動作をプロセッサ回路に実行させるコンピュータ可読プログラムコードを含み得る。他の実施形態によれば、プロセッサ回路９０３は、別個のメモリ回路が必要とされないように、メモリを含むように規定され得る。
【００４８】
本明細書で論じられるように、基地局の動作は、プロセッサ９０３、ネットワークインターフェース９０７、および／またはトランシーバ９０１によって実行され得る。例えば、プロセッサ９０３は、無線インターフェースを介して１つまたはもしくは複数の無線端末ＵＥにトランシーバ９０１を介して通信を送信し、および／または、無線インターフェースを介して１つもしくは複数の無線端末ＵＥからトランシーバ９０１を介して通信を受信するようにトランシーバ９０１を制御し得る。同様に、プロセッサ９０３は、ネットワークインターフェース９０７を介して１つもしくは複数の他のネットワークノード／エンティティに通信を送信し、および／または、ネットワークインターフェースを介して１つもしくは複数の他のネットワークノード／エンティティから通信を受信するようにネットワークインターフェース９０７を制御し得る。さらに、モジュールがメモリ９０５内に記憶され得、これらのモジュールは、モジュールの命令がプロセッサ９０３によって実行されると、プロセッサ９０３がそれぞれの動作を実行するように、命令を提供し得る。
【００４９】
図１０は、発明の概念の実施形態による、セルラ通信をサポートするように設定されたコアネットワークＣＮノード（例えば、ＡＭＦエンティティ／ノード、ＳＭＦエンティティ／ノード、ＵＰＦエンティティ／ノード、または、コアネットワークＣＮの任意の他の制御エンティティ／ノード）の要素を示すブロック図である。図示されているように、ＣＮノードは、他のネットワークエンティティ／ノード（例えば、基地局、ならびに／または、ＲＡＮおよび／もしくはＣＮの別のＣＮノード）との通信を提供するように設定されたネットワークインターフェース回路１００７（ネットワークインターフェースとも呼ばれる）を含み得る。ＣＮノードはまた、ネットワークインターフェース回路１００７に結合されたプロセッサ回路１００３（プロセッサとも呼ばれる）と、プロセッサ回路に結合されたメモリ回路１００５（メモリとも呼ばれる）とを含み得る。メモリ回路１００５は、プロセッサ回路１００３によって実行されると、本明細書で開示される実施形態による動作をプロセッサ回路に実行させるコンピュータ可読プログラムコードを含み得る。他の実施形態によれば、プロセッサ回路１００３は、別個のメモリ回路が必要とされないように、メモリを含むように規定され得る。
【００５０】
本明細書で論じられるように、ＣＮノードの動作は、プロセッサ１００３および／またはネットワークインターフェース１００７によって実行され得る。例えば、プロセッサ１００３は、ネットワークインターフェース１００７を介して１つもしくは複数の他のネットワークノード／エンティティに通信を送信し、および／または、ネットワークインターフェースを介して１つもしくは複数の他のネットワークノード／エンティティから通信を受信するようにネットワークインターフェース１００７を制御し得る。さらに、モジュールがメモリ１００５内に記憶され得、これらのモジュールは、モジュールの命令がプロセッサ１００３によって実行されると、プロセッサ１００３がそれぞれの動作を実行するように、命令を提供し得る。上記のように、図１０のＣＮノードの構造は、例えば、アクセスおよびモビリティ機能ＡＭＦエンティティ／ノード、セッション管理機能ＳＭＦエンティティ／ノード、ユーザプレーン機能ＵＰＦエンティティ／ノード、および／または、以下でより詳細に論じるようにそれらの動作を実行するための制御エンティティ／ノード（コントローラとも呼ばれる）を実装するために使用され得る。図１０のＣＮノードの動作は、１つのサーバによって実行され得、または図１０の構造を有する複数のネットワークサーバにわたって分散され得、複数のそのような分散サーバは、集合的にサーバと呼ばれ得る。
【００５１】
現在、ＲＡＮ２は、６ビットＱＦＩを使用することに同意しているが、５ＧＣは、７ビットＱＦＩが使用されると想定されている。これは、値の範囲（６ビット、最大６４値および７ビット最大１２８値）で問題が生じる可能性がある。
【００５２】
２０１８年１月のＡＨミーティングにおいて、以下の点に関してＲＡＮ２合意に達した。
合意
独立したＡＳおよびＮＡＳ反射ＱｏＳをサポートする。
ＲＡＮ２の観点から、ＵＥごとのＰＤＵセッションごとに最大６４の反射フローを同時にサポートすることが十分であるので、ＳＤＡＰにおいて６ビットＱＦＩである。
一度にＵＥごとのＰＤＵセッションごとに６４を超える反射フローを使用することを期待するかどうかＳＡ２／ＣＴ１に尋ねる。ＲＡＮ２合意と、６ビットＳＤＡＰを有する強い必要性とを示す。質問は、メインセッションからのＳＡ２  ＬＳ内に含まれる。
【００５３】
将来の研究について（ＦＦＳ）、ＣＴ１／ＳＡ２における最終的なＱＦＩが６ビットよりも大きい場合、ＮＡＳ  ＱＦＩをＡＳ  ＱＦＩに再マッピングするメカニズムが必要とされる場合がある。
【００５４】
発明の概念のいくつかの実施形態によれば、ＱＦＩの増大／最大範囲をサポートしながら、ＲＡＮおよび／または５ＧＣへの影響が低減／最小化され得る。
【００５５】
ＳＤＡＰヘッダにおけるＱＦＩの６ビット指示は、実現され得る１つのフォーマットである。加えて、ＮＡＳ反射ＱｏＳならびにＡＳ反射ＱｏＳに対して明示的なビットが使用され得る。５Ｑｉｓの完全なＱｏＳマッピングに必要なコードポイントの観点から、ＱＦＩ値は、少なくとも７ビットであるべきである。しかしながら、この仮定は、満たされない場合がある。したがって、代替の解決策が調査されるべきである。
【００５６】
観察１  ７ビットが必要とされる場合があるが、６ビットＱＦＩのみが利用可能である場合がある。
【００５７】
このトピックに関して、２つの主要なアプローチが見られ得る。１つは、ＱＦＩの影響をＲＡＮに制限すること（すなわち、ＲＡＮ内にローカルＱＦＩを有すること）である。別のオプションは、６ビットＱＦＩの影響を５ＧＣにプッシュし、システム全体に対して６ビットＱＦＩ制限を有することである。ＲＡＮがこの変更の影響を吸収しようとする場合でも、ＳＭＦは、ＰＤＵセッションごとに６４の設定されたＱＦＩの制限を考慮することを依然として必要とする場合があることに注意する価値がある。一般に、ＱＦＩ内にＲＡＮ上の追加のマッピングレイヤを有することは、ＮＡＳおよびＡＳ  ＱＦＩを解放し、その結果、５ＧＣが８ビットＱＦＩに対するサポートを潜在的に有することができる。一方、２レベルマッピングは、ＲＡＮがパケットごとにＱＦＩ処理を行う必要があることを必要とする場合がある（複数のＱＦＩがＤＲＢごとにマッピングされると仮定する）。
【００５８】
観察２  ３ＧＰＰアクセスの場合、ＲＡＮがＣＮに適応するか、またはＣＮがＲＡＮに適応するか、２つの主要なアプローチが存在し得る。
【００５９】
５ＧＣにおける６ビットＱＦＩに対する追加の影響は、ＱＦＩ値が５ＧＣにおける５ＱＩ値にもはや束縛され得ないことである。７ビットＱＦＩでは、５ＱＩ値をＱＦＩ値で直接示すことができる。これは、６３を超える値についてはもはや可能ではない場合がある。その場合に、１つのオプションは、すべての標準化された５ＱＩが６４未満であるように５ＱＩテーブルを再編成することであるが、ＮＲ−ＬＴＥインターワーキングに影響を与える場合があり、オペレータの適応が必要とされる場合がある。別のオプションは、５ＱＩが６４を超える場合、ＱＦＩと５ＱＩの両方を常にシグナリングすることである。
【００６０】
観察３  ５ＧＣにおいて６ビットＱＦＩ値を有することは、６４を超える５ＱＩについて、５ＱＩがＱＦＩとして使用されるのを防止する。
【００６１】
オプション１：７ビットＱＦＩは、５ＧＣにおいて使用され得、ＲＡＮにおける６ビットにマッピングする。
【００６２】
１つのアプローチは、５ＧＣにおいて７ビットＱＦＩを使用することであり、ｇＮＢは、次いで、ＲＡＮ６ビットＡＳ−ＱＦＩ値にローカルにマッピングする。このアプローチは、ＮＡＳ  ＱＦＩからＲＡＮ  ＱＦＩへのマッピングが存在するように、ＲＡＮが常にＵＥをＲＲＣ設定することを必要とする場合がある。このオプションの追加の影響は、新しいＱＦＩがシステム上に現れるときはいつも、ＮＡＳ−ＱＦＩからＡＳ−ＱＦＩへのマッピングをＵＥに送信することがＲＡＮに求められるので、ＮＡＳ反射ＱｏＳ挙動がわずかに変更されることである。そうでない場合、ＵＥは、アップリンクＵＬトラフィックにおいてＮＡＳ−ＱＦＩからＡＳ−ＱＦＩを解決することができない。
【００６３】
このアプローチの１つの利点は、ＱＦＩ値が将来的にＲＡＮにおいて拡張された場合、ＳＭＦを除いて５ＧＣに影響がないことである。
ＵＥ  ＲＲＣ：ＵＥは、ＮＡＳ−ＱＦＩからＡＳ−ＱＦＩへのマッピングが（ＤＲＢごとに）設定される
ＤＬ：ＵＥは、ＡＳ−ＱＦＩを受信し、それをＮＡＳ−ＱＦＩにマッピングする
ＵＬ：ＵＥは、ＮＡＳレベルにおいてＮＡＳ−ＱＦＩを使用し、ＲＡＮにおいてＮＡＳ−ＱＦＩをマークする。（ＳＤＡＰは、ＮＡＳ−ＱＦＩをＡＳ−ＱＦＩにマッピングすることを担当する）
ＲＡＮ  ＲＲＣ：Ｒａｎは、ＮＡＳ−ＱＦＩからＡＳ−ＱＦＩへのマッピングがＵＥに設定する
ＤＬ：ＡＳ−ＱＦＩからＮＡＳ−ＱＦＩへのマッピング
ＵＬ：ＲＡＮは、ＵＰＦに向けてＡＳ−ＱＦＩをＮＡＳ−ＱＦＩに解決する。
５ＧＣ  ＳＭＦ：ＰＤＵセッションあたり６４のＱＦＩの制限を強制する
ＵＰＦ：ＱＦＩをＮ３（ＮＧ−Ｕ）ヘッダにマークする
【００６４】
オプション１の要約：ＲＡＮは、６ビットＱＦＩを使用し、５ＧＣは、７ビットＱＦＩを使用する。ＲＡＮは、常にＮＡＳ−ＱＦＩをローカルＡＳ−ＱＦＩにマッピングする。ＳＭＦは、ＱＦＩの最大数を６４に制限する。
【００６５】
オプション２：７ビットＱＦＩが５ＧＣにおいて使用され得、必要に応じてＲＡＮにおいて６ビットにマッピングする。
【００６６】
代替のオプションにおいて、ＲＡＮが６ビットＱＦＩを使用し、５ＧＣが７ビットＱＦＩを使用する場合、６３以下の値について、ＮＡＳ−ＱＦＩからＡＳ−ＱＦＩへの１対１のマッピングが存在する。６３を超える値について、ＲＡＮは、ＮＡＳ−ＱＦＩからＡＳ−ＱＦＩへのマッピングをシグナリングする。ＳＭＦは、ＱＦＩ値の最大数を６４に制限する必要がある。
ＵＥ  ＲＲＣ：ＵＥは、６３を超えるＮＡＳ  ＱＦＩ値について、ＮＡＳ−ＱＦＩからＡＳ−ＱＦＩへのマッピングが（ＤＲＢごとに）設定される。ＵＥは、ＲＡＮシグナリングに基づいてＱＦＩに関するマッピング機能性を有効にする。
ＤＬ：ＱＦＩ≦６３について、ＮＡＳ−ＱＦＩ＝＝ＡＳ  ＱＦＩである。ＱＦＩ＞６３について、ＵＥは、ＡＳ−ＱＦＩを受信し、それをＮＡＳ−ＱＦＩにマッピングする
ＵＬ：ＱＦＩ≦６３について、ＮＡＳ−ＱＦＩ＝＝ＡＳ  ＱＦＩである。ＱＦＩ＞６３について、ＵＥは、ＮＡＳレベルにおいてＮＡＳ−ＱＦＩを使用し、ＳＤＡＰマッピングに基づいてＲＡＮにおいてＡＳ−ＱＦＩをマークする。（ＳＤＡＰは、ＮＡＳ−ＱＦＩをＡＳ−ＱＦＩにマッピングすることを担当する）
ＲＡＮ  ＲＲＣ：ＱＦＩ＞６３、Ｒａｎは、ＮＡＳ−ＱＦＩからＡＳ−ＱＦＩへのマッピングをＵＥに設定する。
ＤＬ：ＡＳ−ＱＦＩからＮＡＳ−ＱＦＩへのマッピング
ＵＬ：ＲＡＮは、ＵＰＦに向けてＡＳ−ＱＦＩをＮＡＳ−ＱＦＩに解決する。
５ＧＣ  ＳＭＦ：ＰＤＵセッションあたり６４のＱＦＩの制限を強制する
ＵＰＦ：ＱＦＩをＮ３（ＮＧ−Ｕ）ヘッダにマークする
【００６７】
オプション２の要約：ＲＡＮは、６ビットＱＦＩを使用し、５ＧＣは、７ビットＱＦＩを使用する。ＲＡＮは、６３以下の値について５ＧＣと同じＱＦＩを使用し、６４を超える値について明示的なマッピングを有する。ＳＭＦは、ＱＦＩの最大数を６４に制限する。
【００６８】
オプション３：ＱＦＩは、３ＧＰＰアクセスについてＣＮにおいて６ビットに制限され得る。
【００６９】
代替のアプローチは、３ＧＰＰアクセスのための６ビットＱＦＩを有することである。このオプションは、５ＧＣに最も大きい影響を有する。加えて、制限は、３ＧＰＰアクセスにのみ潜在的に強制される可能性があり、すなわち、非３ＧＰＰアクセスは、より高い値をさらに使用することができ、６３を超える標準化された５ＱＩ値をＱＦＩとして使用することができる。このアプローチにおいて、ＳＭＦは、３ＧＰＰアクセスに関する最大ＱＦＩ値を６４に制限し、ＵＰＦは、最大６４のＱＦＩをマークする。６４を超える５ＱＩ値について、５ＱＩと動的ＱＦＩの両方がシグナリングされる。
ＵＥ  ＮＡＳ−ＱＦＩ  ＝＝  ＡＳ  ＱＦＩ
ＲＡＮ  ＮＡＳ−ＱＦＩ  ＝＝  ＡＳ  ＱＦＩ
５ＧＣ  ＳＭＦ：ＰＤＵセッションあたり６４のＱＦＩの制限を強制する
ＵＰＦ：３ＧＰＰアクセスについてＮ３において６ビットＱＦＩをマークする。
【００７０】
このオプションが現実的であるかどうかを決定するのは、ＳＡ２次第である。
【００７１】
オプション３の要約：ＲＡＮは、６ビットＱＦＩを使用し、５ＧＣは、７ビットＱＦＩを使用する。ＲＡＮは、６３以下の値について５ＧＣと同じＱＦＩを使用し、６４を超える値について明示的なマッピングを有する。ＳＭＦは、ＱＦＩの最大数を６４に制限する。
【００７２】
オプション４：ＱＦＩは、必要な場合、５ＧＣにおいて６ビットに制限され得る。
【００７３】
別の代替案は、必要な場合にのみＱＦＩ制限を強制することである。ＳＤＡＰヘッダフォーマットを考慮する場合、ＮＡＳ−ＲＱＩのための１ビットを有する。ＮＡＳ−ＲＱＩビットは、ＱｏＳフローに対してのみ使用され得、反射ＱｏＳは、Ｎ２シグナリングを介して設定される（すなわち、ＲＡＮ２ヘッダにおいて空間が存在するかどうかは、５ＧＣ設定に完全に依存する）。したがって、６ビットＱＦＩおよび７ビットＱＦＩについてオプションが存在する場合がある。６ビットＱＦＩは、ＮＡＳフローが反射ＱｏＳの対象となり得るＱｏＳフローに対して使用され、７ビットＱＦＩは、それ以外の場合に使用される。これは、特定のＱｏＳフローに関するＲＱＡ（反射ＱｏＳ引数）が存在する場合、空のビットを搬送しないので、無線オーバヘッド効率を向上させる。このアプローチは、ＲＡＮがＰＤＵセッションあたり６４の反射ＱｏＳフローまたは最大１２８の非反射ＱｏＳフローのいずれかをサポートすることを可能にし、既存の仕様メカニズムによる実装が可能である。
【００７４】
ＮＡＳ反射ＱｏＳサポートは、ＵＥが実装するオプションであり得るので、反射ＱｏＳを実装しないＵＥは、１２８の可能な値を有する７ビットＱＦＩフォーマットのみを使用する。追加の処理は、必要でない場合がある。
ＵＥ  ＮＡＳ−ＱＦＩ＝＝ＡＳ  ＱＦＩ
ＲＡＮ  ＮＡＳ−ＱＦＩ＝＝ＡＳ  ＱＦＩ
【００７５】
ＲＡＮは、ＲＱＡが設定されている場合、ＲＲＣ指示をＵＥに送信する。
【００７６】
ＲＲＣ指示は、ＲＱＩがヘッダにおいて使用されているかどうかにかかわらず、ＱＦＩごとの設定またはＤＲＢごとの設定のいずれかを含む。
【００７７】
５ＧＣ  ＳＭＦは、６４の反射ＱｏＳフロー、およびＰＤＵセッションあたり１２８のＱＦＩの制限を強制する。
【００７８】
５ＧＣは、ＱＦＩ＞６３について、反射ＱｏＳが３ＧＰＰアクセスにおいて使用されないという制限を強制する。
【００７９】
オプション４は、ｇＮＢ実装形態から、以下を要求する場合がある。
ＱｏＳフローを含むかどうかにかかわらず、各ＱｏＳフローが別々に設定される。
このオプションは、反射ＱｏＳパラメータの有無にかかわらず、ｇＮＢがＱＦＩを混合しないことを要求する場合がある。
代替的には、６ビットまたは７ビットのＱＦＩがＤＲＢごとに設定される。
ＵＥは、ＳＤＡＰが６ビットまたは７ビットのいずれであるかを、ＤＲＢ設定から知る。
【００８０】
オプション４：ＲＡＮは、反射ＱｏＳフローを有する６ビットＱＦＩフォーマットと、非反射ＱｏＳフローを有する７ビットフォーマットとを使用する。５ＧＣは、５ＱＩテーブルにおける６３を超える値を有する反射ＱｏＳを使用しない。
【００８１】
オプション４の利点：オプション４は、将来に必要とされる可能性がある１２８のＱＦＩを許可する。
【００８２】
オプション４において、ＳＤＡＰヘッダに関する２つのオプションが存在する。
図６は、６ビットＱＦＩを有するＳＤＡＰヘッダを示す。
【００８３】
図７は、７ビットＱＦＩを有するＳＤＡＰヘッダを示す。
【００８４】
以下の表は、各エンティティから必要とされる労力に基づく様々なオプションをまとめている。オプション３は、ＲＡＮ２の観点から魅力的であるが、ＳＡ２によって受け入れられない場合がある。したがって、オプション４は、複雑さと実装の労力とにおける妥協点を提供し得る。
2021514135.tif 000003
【００８５】
本開示のこの以下の部分は、発明の概念のいくつかの実施形態に従って動作がどのように実装され得るかについての追加情報を提供する。
【００８６】
ＲＡＮトリガ条件：
オプション１および２：
Ｎ３インターフェースからＤＬトラフィックを受信すると、またはＱｏＳフローが設定されると、
ｇＮＢは、常にＱＦＩをローカルＱＦＩにマッピングし、ＮＡＳ−ＱＦＩからＡＳ−ＱＦＩへのマッピングをＲＲＣ  ＲａｄｉｏＢｅａｒｅｒＣｏｎｆｉｇ（Ｓｄａｐ−ｃｏｎｆｉｇ）においてＵＥに送信し、
より高いレイヤからトラフィックを受信すると、ＵＥは、
Ｓｄａｐ−ｃｏｎｆｉｇにおいて送信されるマッピングに基づいてＮＡＳ−ＱＦＩをＡＳ−ＱＦＩにマッピングし、
ｇＮＢは、ＰＤＵセッションごとに使用されるＱｏＳフロー値におけるマップ（例えば、ビットマップ）を維持しなければならない。
Ｎ３インターフェースからＤＬトラフィックを受信すると、またはＱｏＳフローが設定されると、
新しいＱｏＳフローが設定されている場合、
ＱｏＳフロー値＞６３である場合、
利用可能なＱＦＩ値を見つけ、
ＮＡＳ−ＱＦＩおよびＡＳ−ＱＦＩが異なるという指示をＵＥに送信する。
この情報は、ＲａｄｉｏｂｅａｒｅｒＣｏｎｆｉｇ（ＳｄａｐＣｏｎｆｉｇ）においてＵＥに送信され得る。
【００８７】
オプション３：
５ＧＣは、ＰＤＵセッション（例えば、ＵＰＦ）ごとのＱＦＩ値のテーブルを有する必要がある。このテーブルは、マッピングされたＱＦＩに関する情報を含む。ＱＦＩが使用されると、それがテーブルに書き込まれる。
５ＧＣ  ＳＭＦ
ＰＤＵセッションあたりのＱＦＩの最大数を６４に制限する。
５ＧＣ  ＵＰＦ：ＱＦＩが値６３よりも大きい場合、
ＱＦＩ値テーブルから自由なＱＦＩ値を見つけ、
ＱＦＩ値をｇＮＢおよびＵＥにシグナリングする。関連するＱｏＳパラメータもシグナリングする。
Ｎ３ヘッダにおいて６ビットＱＦＩを常にマークする。
【００８８】
オプション４
ｇＮＢがＮ２インターフェースからＲＱＡパラメータを受信すると、
ｇＮＢは、反射的なＱｏＳフローに関する情報を含むＲＲＣ  ＲａｄｉｏＢｅａｒｅｒＣｏｎｆｉｇにおいて送信し、
ｇＮＢは、ＱＦＩに関連付けられたＲＱＡ引数の存在に基づいてこの決定を行い、
ＲＱＡパラメータがＮ２設定を介して受信されたＱＦＩについて、６ビットＱＦＩが使用される。
ＵＥ：
ＤＬ：ＵＥは、ＤＲＢが反射ＱＦＩを含むかどうかについてＤＲＢ設定をチェックし、それに応じてＱＦＩ値（６ビット値または７ビット値のいずれか）を読み取り、
ＵＬ  ＵＥは、ＱＦＩが反射的であるかどうかを（個々のＱＦＩ設定をチェックすることによって、または、ＱＦＩが反射ＤＲＢに関連付けられている場合）チェックする。
ルックアップに基づいて、ＵＥは、６ビットまたは７ビットＱＦＩをＳＤＡＰヘッダに関連付けた。
ｇＮＢ：Ｎ３インターフェースからＤＬトラフィックを受信すると、
実装オプション１：Ｎ３ヘッダから７ビットＱＦＩをコピーし、ＭＳＢの７番目のビットが「１」である場合、高い値範囲が使用される。これに７ビットＳＤＡＰヘッダを使用する。例えば、ＱＦＩ＝０１０００００、ＭＳＢ＝＝０−＞ＱＦＩ＜６４。ＳＤＡＰヘッダにおいて６ビットＱＦＩを使用する。これは、ビットマスクを用いても行われ得る（（ＱＦＩ＆ｂ’１００００００＞０）ＱＦＩ＞６４の場合）
実装オプション２：７ビットＱＦＩ値を読み取り、ＲＱＡパラメータがＱｏＳフローに関連付けられている場合、７ビットＱＦＩ値をコピーし、そうでない場合、６ビットのみをコピーする（ＵＰＦは、値が＜６４であることを確認する）。
ｇＮＢは、非反射および反射ＱｏＳフローが個別のＤＲＢにマッピングされる方法で、ＤＲＢマッピングをＱＦＩに実装し得る。
５ＧＣ  ＵＰＦ：
ＳＤＡＰヘッダにおいて常に７ビットＱＦＩをマークする
５ＧＣ  ＳＭＦ：反射ＱｏＳフローの最大数を６４に制限し、
６３よりも大きい５ＱＩ値を有する反射ＱｏＳを使用しない。
【００８９】
インターｇＮＢハンドオーバについて、以下で論じる。
ｇＮＢがＮＡＳ−ＱＦＩからＡＳ−ＱＦＩへのマッピングを維持する場合（オプション１、２）、このマッピングは、Ｘｎシグナリングを介してソースｇＮＢからターゲットｇＮＢに伝達される必要がある。
ｇＮＢが、ＱＦＩレベルまたはＤＲＢレベルのいずれかにおいて、ＱＦＩの反射性に関する情報（例えば、ＱＦＩ値に関連付けられたリスト、およびＱＦＩが反射的であるかどうか）を維持する場合。この情報は、Ｘｎシグナリングを介してソースからターゲットｇＮＢに搬送される必要がある。
オプション４において、これは、ターゲットｇＮＢが、ＤＬに対して６ビットまたは７ビットＱＦＩのいずれを設定するか、および、ＵＬに対して６ビットまたは７ビットＱＦＩのいずれを期待するかを知ることを可能にする。
同様の手順が、Ｅ−ＵＴＲＡおよびＮＲハンドオーバに適用される。
【００９０】
オプション４の仕様の実装形態について、以下で論じる。
ＳＤＡＰ実装形態（バージョン３ＧＰＰ  ＴＳ  ３７．３２４  Ｖ１．３．０（２０１８−０１）に基づく）
ＳＤＡＰ手順
ＳＤＡＰエンティティのハンドリング
ＳＤＡＰエンティティの確立
ＲＲＣ［３］がＰＤＵセッションのためのＳＤＡＰエンティティの確立を要求すると、ＵＥは、
ＰＤＵセッションのためのＳＤＡＰエンティティを確立し、
ＳＤＡＰエンティティをデフォルトのＤＲＢに関連付けることになっている。
【００９１】
ＳＤＡＰエンティティの解放
ＲＲＣ［３］がＰＤＵセッションのためのＳＤＡＰエンティティの解放を要求すると、ＵＥは、
ＰＤＵセッションのためのＳＤＡＰエンティティを解放する。
【００９２】
データ転送
アップリンク
ＱｏＳフローに関する上位レイヤからのＳＤＡＰ  ＳＤＵを受信すると、送信ＳＤＡＰエンティティは、
５．３副節において指定されているようにＱｏＳフローに関するＱｏＳフローからＤＲＢへのマッピングルールが記憶されていない場合、
ＳＤＡＰ  ＳＤＵをデフォルトのＤＲＢにマッピングし、
そうでない場合、
記憶されたＱｏＳフローからＤＲＢへのマッピングルールに従って、ＳＤＡＰ  ＳＤＵをＤＲＢにマッピングし、
ＳＤＡＰ  ＳＤＵがマッピングされているＤＲＢが、ＳＤＡＰヘッダの存在とともにＲＲＣ［３］によって設定されている場合、
反射ＱｏＳがＱｏＳフローＤＲＢに関するＲＲＣによって設定されている場合、
６．２．２．２−１副節において指定されているようにＳＤＡＰ  ＰＤＵを構築し、
そうでない場合、
６．２．２．２−２副節において指定されているようにＳＤＡＰ  ＰＤＵを構築し、
そうでない場合、
６．２．２．１副節において指定されているようにＳＤＡＰ  ＰＤＵを構築し、
構築されたＳＤＡＰ  ＰＤＵを下位レイヤに送達することになっている。
【００９３】
ダウンリンク
ＱｏＳフローに関する下位レイヤからのＳＤＡＰ  ＰＤＵを受信すると、受信ＳＤＡＰエンティティは、
このＳＤＡＰ  ＰＤＵが受信されているＤＲＢが、ＳＤＡＰヘッダの存在とともにＲＲＣ［３］によって設定されている場合、
５．３．２副節において指定されているように、反射ＱｏＳフローからＤＲＢへのマッピングを実行し、
５．４副節において指定されているように、ＲＱＩハンドリングを実行し、
反射ＱｏＳがＱｏＳフローＤＲＢに関するＲＲＣによって設定されている場合、
６．２．２．２−１副節において指定されているようにＳＤＡＰ  ＰＤＵからＳＤＡＰ  ＳＤＵを取得し、
そうでない場合、
６．２．２．２−２副節において指定されているようにＳＤＡＰ  ＰＤＵからＳＤＡＰ  ＳＤＵを取得し、
そうでない場合、
６．２．２．１副節において指定されているようにＳＤＡＰ  ＰＤＵからＳＤＡＰ  ＳＤＵを取得し、
取得されたＳＤＡＰ  ＰＤＵを上位レイヤに送達することになっている。
【００９４】
ＱｏＳフローからＤＲＢへのマッピング
設定
ＲＲＣ［３］がＳＤＡＰエンティティのためのＵＬ  ＱｏＳフローからＤＲＢへのマッピングルールを設定している場合、ＳＤＡＰエンティティは、
ＵＬ  ＱｏＳフローからＤＲＢへのマッピングルールを記憶することになっている。
【００９５】
反射マッピング
ＲＤＩが１に設定された各々の受信されたＤＬ  ＳＤＡＰ  ＰＤＵについて、ＳＤＡＰエンティティは、
ＳＤＡＰヘッダ内のＱＦＩフィールドを処理し、ＤＬ  ＳＤＡＰ  ＰＤＵのＱｏＳフローからＤＲＢへのマッピングを、ＵＬのためのＱｏＳフローからＤＲＢへのマッピングルールとして記憶することになっている。
【００９６】
ＤＲＢ解放
ＤＲＢが解放されると、ＳＤＡＰエンティティは、
解放されたＤＲＢに関連付けられたすべてのＱｏＳフローからＤＲＢへのマッピングを除去することになっている。
【００９７】
ＲＱＩハンドリング
ＲＱＩが１に設定された各々の受信されたＤＬ  ＳＤＡＰ  ＰＤＵについて、ＳＤＡＰエンティティは、
ＲＱＩビットが１に設定されていることをＮＡＳレイヤに知らせることになっている。
【００９８】
ＳＤＡＰヘッダを有するデータＰＤＵ
図６は、ＲＤＩ、ＲＱＩ、および６ビットＱＦＩが設定されているＳＤＡＰヘッダを有するダウンリンクＤＬのＳＤＡＰデータＰＤＵのフォーマットを示す。
【００９９】
図７は、ＲＤＩおよび７ビットＱＦＩが設定されているＳＤＡＰヘッダを有するダウンリンクＤＬのＳＤＡＰデータＰＤＵのフォーマットを示す。
【０１００】
図１１は、無線端末ＵＥの動作（例えば、無線端末プロセッサ８０３の動作）を示し、図１２は、基地局の動作（例えば、基地局プロセッサ９０３の動作）を示し、図１３は、コアネットワークＣＮノードの動作（例えば、プロセッサ１００３の動作）を示す。図１１、図１２、および／または図１３の様々な動作は、発明の概念のいくつかの実施形態に関してオプションであり得る。例えば、図１１の動作１１０１、１１０５、１１０７、１１０９、１１１１、１１１３、および１１１７は、例示的な実施形態１に関してオプションであり得、図１１の動作１１０１、１１０３、１１０５、１１０７、１１０９、１１１１、および１１１３、ならびに、１１１５または１１１７は、例示的な実施形態１５に関してオプションであり得、図１２の動作１２０１、１２０５、１２０７、１２０９、１２１１、１２１３、および１２１７は、例示的な実施形態２７に関してオプションであり得、図１２の動作１２０１、１２０３、１２０４、１２０５、１２０７、１２０９、１２１１、および１２１３、ならびに、１２１５または１２１７は、例示的な実施形態４１に関してオプションであり得、動作１３０１、１３０９、および１３１１は、例示的な実施形態５４に関してオプションであり得る。
【０１０１】
上記のように、図１１は、無線端末ＵＥの動作を示す。図１１に示すいくつかの実施形態によれば、プロセッサ８０３は、ブロック１１０１および１１０３において、トランシーバ８０１を介して基地局から無線リソース制御ＲＲＣメッセージを受信し得る。ＲＲＣメッセージは、反射および／または非反射である少なくとも１つのサービス品質ＱｏＳフローに関する情報を含み得る。例えば、ＲＲＣメッセージからの情報は、第１のデータ無線ベアラＤＲＢを、非反射ＱｏＳフローに関するＤＲＢとして識別し得、ＲＲＣメッセージからの情報は、第２のＤＲＢを、反射ＱｏＳフローに関するＤＲＢとして識別し得る。
【０１０２】
ブロック１１０５および１１０７において、プロセッサ８０３は、ＲＲＣメッセージからの情報に基づいて、無線端末と基地局との間の非反射ＱｏＳフローに関する第１のＤＲＢと、無線端末と基地局との間の反射ＱｏＳフローに関する第２のＤＲＢとを確立し得る。いくつかの実施形態によれば、第１および第２のＤＲＢに関する情報は、単一のＲＲＣメッセージにおいて提供され得る。いくつかの他の実施形態によれば、第１および第２のＤＲＢに関する情報は、異なるＲＲＣメッセージにおいて提供され得る。
【０１０３】
データパケットがブロック１１１１においてトランシーバ８０１を介して通信されるべき場合、プロセッサ８０３は、ブロック１１１３において、データパケットが非反射ＤＲＢまたは反射ＤＲＢのいずれを使用して通信されるべきかを決定し得る。
【０１０４】
例えば、プロセッサ８０３は、ブロック１１１５において、第１のＤＲＢ上の非反射ＱｏＳフローを使用して、無線端末と基地局との間に、トランシーバ８０１を介して第１のデータパケットの通信を提供し得、第１のデータパケットは、第１のデータフィールドと、ＱｏＳフローアイデンティティＱＦＩを有する第１のサービスデータアプリケーションプロトコルＳＤＡＰヘッダフィールドとを含み、ＱＦＩは、ＲＲＣメッセージからの情報に基づいて、データパケットのために使用される。
【０１０５】
ブロック１１１７において、プロセッサ８０３は、第２のＤＲＢ上の反射ＱｏＳフローを使用して、無線端末と基地局との間に第２のデータパケットの通信を提供し得、第２のデータパケットは、第２のデータフィールドと、ＲＲＣメッセージからの情報に基づいて第２のデータパケットのために使用されるＱＦＩを有する第２のＳＤＡＰヘッダフィールドとを含み、第２のＳＤＡＰヘッダフィールドのＱＦＩの長さは、第１のＳＤＡＰヘッダフィールドのＱＦＩの長さよりも短い。
【０１０６】
第１のＳＤＡＰヘッダフィールドのＱＦＩは、７ビットＱＦＩであり得、第２のＳＤＡＰヘッダフィールドのＱＦＩは、６ビットＱＦＩであり得る。
【０１０７】
第１のＳＤＡＰヘッダフィールドは、第１のＳＤＡＰヘッダフィールドのＱＦＩと、反射ＱｏＳインジケータＲＱＩなしの反射ＱｏＳからＤＲＢへのマッピング指示ＲＤＩとを含み得、第２のＳＤＡＰヘッダフィールドは、第２のＳＤＡＰヘッダフィールドのＱＦＩと、第２のＳＤＡＰヘッダフィールドのＲＱＩと、ＲＤＩとを含み得る。
【０１０８】
さらに、第１のＳＤＡＰヘッダフィールドのフォーマットは、非反射ＱｏＳフローである第１のＤＲＢに関する第１のＱｏＳフローに基づいて決定され得、第２のＳＤＡＰヘッダフィールドのフォーマットは、反射ＱｏＳフローである第２のＤＲＢに関する第２のＱｏＳフローに基づいて決定され得る。
【０１０９】
上記のように、図１２は、基地局の動作を示す。ブロック１２０１および１２０３において図１１において示されているいくつかの実施形態によれば、プロセッサ９０３は、反射および／または非反射である少なくとも１つのサービス品質ＱｏＳフローに関するコアネットワークＣＮノードからの情報を（ネットワークインターフェース９０７を介して）受信し得る。ＣＮノードからの情報は、１つのＱｏＳフローを非反射ＱｏＳフローであるとして識別し、別のＱｏＳフローを反射ＱｏＳフローであるとして識別し得る。例えば、ＣＮノードからの情報は、第１のデータ無線ベアラＤＲＢを、非反射ＱｏＳフローに関するＤＲＢとして識別し得、ＲＲＣメッセージからの情報は、第２のＤＲＢを、反射ＱｏＳフローに関するＤＲＢとして識別し得る。
【０１１０】
ブロック１２０４において、プロセッサ９０３は、反射および／または非反射である少なくとも１つのサービス品質ＱｏＳフローに関する情報に基づいて、無線リソース制御ＲＲＣメッセージを、トランシーバ９０１を介して無線端末に送信し得る。例えば、ＲＲＣメッセージは、非反射ＱｏＳフローに関するＤＲＢである第１のＤＲＢと、反射ＱｏＳフローに関するＤＲＢである第２のＤＲＢとに関する情報を含み得る。
【０１１１】
ブロック１２０５、１２０７、および／または１２０９において、プロセッサ９０３は、基地局と無線端末との間の非反射ＱｏＳフローに関する第１のＤＲＢを確立し得、プロセッサ９０３は、基地局と無線端末との間の反射ＱｏＳフローに関する第２のＤＲＢを確立し得る。
【０１１２】
データパケットが、ブロック１２１１においてトランシーバ９０１を介して通信されるべきである場合、プロセッサ９０３は、ブロック１２１３において、データパケットが非反射ＤＲＢまたは反射ＤＲＢのいずれを使用して通信されるべきであるかを決定し得る。
【０１１３】
例えば、プロセッサ９０３は、ブロック１２１５において、第１のＤＲＢ上の非反射ＱｏＳフローを使用して、基地局と無線端末との間のトランシーバ９０１を介する第１のデータパケットの通信を提供し得、第１のデータパケットは、第１のデータフィールドと、ＱｏＳフローアイデンティティＱＦＩを有する第１のサービスデータアプリケーションプロトコルＳＤＡＰヘッダフィールドとを含み、ＱＦＩは、ＣＮノードからの情報に基づいてデータパケットのために使用される。
【０１１４】
ブロック１２１７において、プロセッサ９０３は、第２のＤＲＢ上の反射ＱｏＳフローを使用して、基地局と無線端末との間のトランシーバ９０１を介する第２のデータパケットの通信を提供し得、第２のデータパケットは、第２のデータフィールドと、ＣＮノードからの情報に基づいて第２のデータパケットのために使用されるＱＦＩを有する第２のＳＤＡＰヘッダフィールドとを含み、第２のＳＤＡＰヘッダフィールドのＱＦＩの長さは、第１のＳＤＡＰヘッダフィールドのＱＦＩの長さよりも短い。
【０１１５】
第１のＳＤＡＰヘッダフィールドのＱＦＩは、７ビットＱＦＩであり得、第２のＳＤＡＰヘッダフィールドのＱＦＩは、６ビットＱＦＩであり得る。
【０１１６】
第１のＳＤＡＰヘッダフィールドは、第１のＳＤＡＰヘッダフィールドのＱＦＩと、反射ＱｏＳインジケータＲＱＩなしの反射ＱｏＳからＤＲＢへのマッピング指示ＲＤＩとを含み得、第２のＳＤＡＰヘッダフィールドは、第２のＳＤＡＰヘッダフィールドのＱＦＩと、第２のＳＤＡＰヘッダフィールドのＲＱＩと、ＲＤＩとを含み得る。
【０１１７】
第１のＳＤＡＰヘッダフィールドのフォーマットは、非反射ＱｏＳフローである非反射ＱｏＳフローに基づいて決定され得、第２のＳＤＡＰヘッダフィールドのフォーマットは、反射ＱｏＳフローである反射ＱｏＳフローに基づいて決定され得る。
【０１１８】
例えば、第１のＳＤＡＰヘッダフィールド（非反射ＱｏＳフローに対応する）は、非反射ＱｏＳフローであるそれぞれのＱｏＳフローに応答して、ＱｏＳフローアイデンティティＱＦＩと、反射ＱｏＳからＤＲＢへのマッピング指示ＲＤＩとを含むフォーマットを有し得る。第１のＳＤＡＰヘッダフィールドのＱＦＩは、７ビットＱＦＩであり得、第１のＳＤＡＰのＲＤＩは、１ビットＲＤＩであり得、第１のＳＤＡＰヘッダフィールドは、反射ＱｏＳインジケータ（ＲＱＩ）なしで、ＱＦＩおよびＲＤＩが提供され得る。
【０１１９】
第２のＳＤＡＰヘッダフィールド（反射ＱｏＳフローに対応する）は、反射ＱｏＳフローであるＱｏＳフローに応答して、ＱｏＳフローアイデンティティＱＦＩと、反射ＱｏＳインジケータＲＱＩと、１ビットの反射ＱｏＳフローからＤＲＢへのマッピング指示ＲＤＩとを含むフォーマットを有し得る。
【０１２０】
上記のように、図１３は、基地局の動作を示す。ＱｏＳフローがブロック１３０１において確立されるべきである場合、プロセッサ１００３は、ブロック１３０３において、ＱｏＳフローが非反射であるかまたは反射であるべきかを決定し得る。
【０１２１】
反射ＱｏＳフローについて、プロセッサ１００３は、ブロック１３０５において、５Ｇ  ＱｏＳインジケータ５ＱＩがしきい値よりも大きい値を有するかどうかを決定し得る。
【０１２２】
ブロック１３０３および１３０５において、しきい値よりも大きい値を有する５Ｇ  ＱｏＳインジケータ５ＱＩを使用して、基地局（ｇＮＢまたはｅＮＢ）と無線端末（ＵＥ）との間の３ＧＰＰアクセスのために反射サービス品質ＱｏＳフローが確立されることを決定することに応答して、プロセッサ１００３は、ブロック１３０７において、反射ＱｏＳフローに関する情報を、ネットワークインターフェース１００７を介して基地局に送信し得、反射ＱｏＳフローに関する情報は、ＱｏＳフローアイデンティティＱＦＩと、しきい値よりも大きい値を有する５ＱＩとを含む。この場合、ＱＦＩは、６ビットＱＦＩであり得、５ＱＩは、６４よりも大きい値を有し得る。
【０１２３】
ブロック１３０３および１３０５において、しきい値未満の値を有する５ＱＩを使用して、基地局と無線端末との間の３ＧＰＰアクセスのために反射ＱｏＳフローが確立されることを決定することに応答して、プロセッサ１００３は、ブロック１３０９において、第２の反射ＱｏＳフローに関する情報を、ネットワークインターフェース１００７を介して基地局に送信し得、第２の反射ＱｏＳフローに関する情報は、第２の５ＱＩを別個に含むことなく、しきい値未満の値を有する第２の５ＱＩにマッピングする第２のＱＦＩを含む。この場合、第２のＱＦＩは、６ビットＱＦＩであり得、５ＱＩは、６３未満の値を有し得る。
【０１２４】
ブロック１３０３において、基地局と無線端末（ＵＥ）との間の３ＧＰＰアクセスのために非反射ＱｏＳフローが確立されることを決定することに応答して、プロセッサ１００３は、ブロック１３１１において、非反射ＱｏＳフローに関する情報を、ネットワークインターフェース１００７を介して基地局に送信し得、非反射ＱｏＳフローに関する情報は、第２の５ＱＩを別個に含むことなく、しきい値よりも大きい値を有する第２の５ＱＩにマッピングする第２のＱＦＩを含む。
【０１２５】
発明の概念の例示的な実施形態について、以下で論じる。
【０１２６】
１．基地局（ｇＮＢ）と通信する無線端末（ＵＥ）を動作させる方法であって、
基地局から無線リソース制御（ＲＲＣ）メッセージを受信すること（１１０３）であって、ＲＲＣメッセージが、反射および／または非反射である少なくとも１つのサービス品質（ＱｏＳ）フローに関する情報を含む、基地局から無線リソース制御（ＲＲＣ）メッセージを受信することと、
非反射ＱｏＳフローを使用して無線端末と基地局との間のデータパケットの通信を提供すること（１１１５）であって、データパケットが、データフィールドと、ＱｏＳフローアイデンティティ（ＱＦＩ）を有するサービスデータアプリケーションプロトコル（ＳＤＡＰ）ヘッダフィールドとを含み、ＱＦＩが、ＲＲＣメッセージからの情報に基づいてデータパケットに対して使用される、無線端末と基地局との間のデータパケットの通信を提供することと
を含む、方法。
【０１２７】
２．データパケットが第１のデータパケットであり、データフィールドが第１のデータフィールドであり、ＳＤＡＰヘッダフィールドが第１のＳＤＡＰヘッダフィールドであり、方法が、
反射ＱｏＳフローを使用して無線端末と基地局との間の第２のデータパケットの通信を提供すること（１１１７）であって、第２のデータパケットが、第２のデータフィールドと、ＲＲＣメッセージからの情報に基づいて第２のデータパケットのために使用されるＱＦＩを有する第２のＳＤＡＰヘッダフィールドとを含み、第２のＳＤＡＰヘッダフィールドのＱＦＩの長さが、第１のＳＤＡＰヘッダフィールドのＱＦＩの長さよりも短い、無線端末と基地局との間の第２のデータパケットの通信を提供することをさらに含む、実施形態１の方法。
【０１２８】
３．ＲＲＣメッセージからの情報が、反射ＱｏＳフローを反射ＱｏＳフローであると識別する、実施形態２の方法。
【０１２９】
４．無線端末と基地局との間に第１のデータ無線ベアラ（ＤＲＢ）を確立すること（１１０７）と、
無線端末と基地局との間に第２のＤＲＢを確立すること（１１０７）と
をさらに含み、
第１のデータパケットの通信を提供することが、第１のＤＲＢ上の非反射ＱｏＳフローを使用して第１のデータパケットの通信を提供することを含み、
第２のデータパケットの通信を提供することが、第２のＤＲＢ上の反射ＱｏＳフローを使用して第２のデータパケットの通信を提供することを含む、
実施形態２または３のいずれかの方法。
【０１３０】
５．ＲＲＣメッセージからの情報が、第１のＤＲＢを非反射ＱｏＳフローに関するＤＲＢとして識別し、および／または、ＲＲＣメッセージからの情報が、第２のＤＲＢを反射ＱｏＳフローに関するＤＲＢとして識別する、実施形態４の方法。
【０１３１】
６．第２のＳＤＡＰヘッダフィールドのＱＦＩが６ビットＱＦＩである、実施形態２から５のいずれかの方法。
【０１３２】
７．第１のＳＤＡＰヘッダフィールドが、反射ＱｏＳインジケータ（ＲＱＩ）なしで、第１のＳＤＡＰヘッダフィールドのＱＦＩと、反射ＱｏＳからＤＲＢへのマッピング指示（ＲＤＩ）とを含み、第２のＳＤＡＰヘッダフィールドが、第２のＳＤＡＰヘッダフィールドのＱＦＩと、第２のＳＤＡＰヘッダフィールドのＲＱＩと、ＲＤＩとを含む、実施形態２から６のいずれかの方法。
【０１３３】
８．無線端末と基地局との間にデータ無線ベアラ（ＤＲＢ）を確立すること（１１０７）をさらに含み、
データパケットの通信を提供することが、ＤＲＢ上の非反射ＱｏＳフローを使用してデータパケットの通信を提供することを含む、
実施形態１の方法。
【０１３４】
９．ＲＲＣメッセージからの情報が、ＤＲＢを非反射ＱｏＳフローに関するＤＲＢとして識別する、実施形態８の方法。
【０１３５】
１０．ＲＲＣメッセージからの情報が、非反射ＱｏＳフローを非反射ＱｏＳフローであるとして識別する、実施形態１から９のいずれかの方法。
【０１３６】
１１．通信を提供することが、非反射ＱｏＳフローを介して無線端末から基地局にデータパケットを送信することを含む、実施形態１から１０のいずれかの方法。
【０１３７】
１２．通信を提供することが、非反射ＱｏＳフローを介して無線端末において基地局からデータパケットを受信することを含む、実施形態１から１０のいずれかの方法。
【０１３８】
１３．ＳＤＡＰヘッダフィールドのＱＦＩが７ビットＱＦＩである、実施形態１から１２のいずれかの方法。
【０１３９】
１４．ＳＤＡＰヘッダフィールドが、反射ＱｏＳインジケータ（ＲＱＩ）なしで、ＱＦＩと、反射ＱｏＳフローからＤＲＢへのマッピング指示（ＲＤＩ）とを提供される、実施形態１から１３のいずれかの方法。
【０１４０】
１５．基地局（ｇＮＢ）と通信する無線端末（ＵＥ）を動作させる方法であって、
サービス品質（ＱｏＳ）フローを使用して無線端末と基地局との間のデータパケットの通信を提供すること（１１１５、１１１７）であって、ＱｏＳフローが、反射ＱｏＳフローまたは非反射ＱｏＳフローのいずれかであり、データパケットが、データフィールドと、サービスデータアプリケーションプロトコル（ＳＤＡＰ）ヘッダフィールドとを含み、ＳＤＡＰヘッダフィールドのフォーマットが、反射ＱｏＳフローまたは非反射ＱｏＳフローであるＱｏＳフローに基づいて決定される、無線端末と基地局との間のデータパケットの通信を提供することを含む、方法。
【０１４１】
１６．ＱｏＳフローが非反射ＱｏＳフローであり、ＳＤＡＰヘッダフィールドが、ＱｏＳフローが非反射ＱｏＳフローであることに応答して、ＱｏＳフローアイデンティティ（ＱＦＩ）と、反射ＱｏＳフローからＤＲＢへのマッピング指示（ＲＤＩ）とを含むフォーマットを有する、実施形態１５の方法。
【０１４２】
１７．ＱＦＩが７ビットＱＦＩであり、ＲＤＩが１ビットＲＤＩである、実施形態１６の方法。
【０１４３】
１８．ＳＤＡＰヘッダフィールドが、反射ＱｏＳインジケータ（ＲＱＩ）なしで、ＱＦＩとＲＤＩとを提供される、実施形態１６または１７のいずれかの方法。
【０１４４】
１９．ＱｏＳフローが反射ＱｏＳフローであり、ＳＤＡＰヘッダフィールドが、ＱｏＳフローが反射ＱｏＳフローであることに応答して、ＱｏＳフローアイデンティティ（ＱＦＩ）と、反射ＱｏＳインジケータ（ＲＱＩ）と、反射ＱｏＳフローからＤＲＢへのマッピング指示（ＲＤＩ）とを含むフォーマットを有する、実施形態１５の方法。
【０１４５】
２０．データパケットが第１のデータパケットであり、ＱｏＳフローが第１のＱｏＳフローであり、データフィールドが第１のデータフィールドであり、ＳＤＡＰヘッダフィールドが第１のＳＤＡＰヘッダフィールドであり、方法が、
第２のサービス品質（ＱｏＳ）フローを使用して無線端末と基地局との間の第２のデータパケットの通信を提供すること（１１１５）であって、第２のＱｏＳフローが非反射ＱｏＳフローであり、第２のデータパケットが、第２のデータフィールドと、第２のＳＤＡＰヘッダフィールドとを含み、第２のＳＤＡＰヘッダフィールドが、ＱｏＳフローが非反射ＱｏＳフローであることに応答して、ＱｏＳフローアイデンティティ（ＱＦＩ）と、反射ＱｏＳフローからＤＲＢへのマッピング指示（ＲＤＩ）とを含むフォーマットを有し、第２のＳＤＡＰヘッダフィールドのＱＦＩが第１のＳＤＡＰヘッダフィールドのＱＦＩよりも長い、無線端末と基地局との間の第２のデータパケットの通信を提供することをさらに含む、実施形態１９の方法。
【０１４６】
２１．無線端末と基地局との間に第１のデータ無線ベアラ（ＤＲＢ）を確立すること（１１０７）と、
無線端末と基地局との間に第２のＤＲＢを確立すること（１１０７）と
をさらに含み、
第１のデータパケットの通信を提供することが、第１のＤＲＢ上の第１のＱｏＳフローを使用して第１のデータパケットの通信を提供することを含み、
第２のデータパケットの通信を提供することが、第２のＤＲＢ上の第２のＱｏＳフローを使用して第２のデータパケットの通信を提供することを含む、
実施形態２０の方法。
【０１４７】
２２．基地局から無線リソース制御（ＲＲＣ）メッセージを受信すること（１１０３）であって、ＲＲＣメッセージが、反射および／または非反射である少なくとも１つのＱｏＳフローに関する情報を含み、ヘッダフィールドのフォーマットが、ＲＲＣメッセージからの情報を使用して、反射ＱｏＳフローまたは非反射ＱｏＳフローであるＱｏＳフローに基づいて決定される、基地局から無線リソース制御（ＲＲＣ）メッセージを受信することをさらに含む、実施形態１５から２１のいずれかの方法。
【０１４８】
２３．通信を提供することが、ＱｏＳフローを介して無線端末から基地局にデータパケットを送信することを含む、実施形態１５から２２のいずれかの方法。
【０１４９】
２４．通信を提供することが、ＱｏＳフローを介して無線端末において基地局からデータパケットを受信することを含む、実施形態１５から２２のいずれかの方法。
【０１５０】
２５．無線端末（ＵＥ）であって、無線端末が実施形態１から２４のいずれかによる動作を実行するように適合されている、無線端末（ＵＥ）。
【０１５１】
２６．無線通信ネットワークにおいて無線通信を提供するように設定されたトランシーバ（８０１）と、
トランシーバに結合されたプロセッサ（８０３）であって、プロセッサが、トランシーバを介して無線通信ネットワークとの無線通信を提供するように設定され、プロセッサが、実施形態１から２４のいずれかによる動作を実行するようにさらに設定される、プロセッサと
を備える無線端末（ＵＥ）。
【０１５２】
２７．無線端末（ＵＥ）と通信する無線通信ネットワークの基地局（ｇＮＢ）を動作させる方法であって、
反射および／または非反射である少なくとも１つのサービス品質（ＱｏＳ）フローに関する情報をコアネットワーク（ＣＮ）ノードから受信すること（１２０３）と、
反射および／または非反射である少なくとも１つのサービス品質（ＱｏＳ）フローに関する情報に基づいて、無線リソース制御（ＲＲＣ）メッセージを無線端末に送信すること（１２０４）と、
非反射ＱｏＳフローを使用して、基地局と無線端末との間のデータパケットの通信を提供すること（１２１５）であって、データパケットが、データフィールドと、ＱｏＳフローアイデンティティ（ＱＦＩ）を有するサービスデータアプリケーションプロトコル（ＳＤＡＰ）ヘッダフィールドとを含み、ＱＦＩが、ＣＮノードからの情報に基づいてデータパケットのために使用される、基地局と無線端末との間のデータパケットの通信を提供することと
を含む、方法。
【０１５３】
２８．データパケットが第１のデータパケットであり、データフィールドが第１のデータフィールドであり、ＳＤＡＰヘッダが第１のＳＤＡＰヘッダであり、方法が、
反射ＱｏＳフローを使用して基地局と無線端末との間の第２のデータパケットの通信を提供すること（１２１７）であって、第２のデータパケットが、第２のデータフィールドと、ＣＮノードからの情報に基づいて第２のデータパケットのために使用されるＱＦＩを有する第２のＳＤＡＰヘッダフィールドとを含み、第２のＳＤＡＰヘッダフィールドのＱＦＩの長さが、第１のＳＤＡＰヘッダフィールドのＱＦＩの長さよりも短い、基地局と無線端末との間の第２のデータパケットの通信を提供することをさらに含む、実施形態２７の方法。
【０１５４】
２９．ＣＮノードからの情報が、反射ＱｏＳフローを反射ＱｏＳフローとして識別する、実施形態２８の方法。
【０１５５】
３０．基地局と無線端末との間に第１のデータ無線ベアラ（ＤＲＢ）を確立すること（１２０７）と、
基地局と無線端末との間に第２のＤＲＢを確立すること（１２０７）と
をさらに含み、
第１のデータパケットの通信を提供することが、第１のＤＲＢ上の非反射ＱｏＳフローを使用して第１のデータパケットの通信を提供することを含み、
第２のデータパケットの通信を提供することが、第２のＤＲＢ上の反射ＱｏＳフローを使用して第２のデータパケットの通信を提供することを含む、
実施形態２８または２９のいずれかの方法。
【０１５６】
３１．ＣＮノードからの情報が、第１のＤＲＢを非反射ＱｏＳフローに関するＤＲＢとして識別し、および／または、ＲＲＣメッセージからの情報が、第２のＤＲＢを、反射ＱｏＳフローに関するＤＲＢとして識別する、実施形態３０の方法。
【０１５７】
３２．第２のＳＤＡＰヘッダフィールドのＱＦＩが６ビットＱＦＩである、実施形態２８から３１のいずれかの方法。
【０１５８】
３３．第１のＳＤＡＰヘッダフィールドが、反射ＱｏＳインジケータ（ＲＱＩ）なしで、第１のＳＤＡＰヘッダフィールドのＱＦＩと、反射ＱｏＳからＤＲＢへのマッピング指示（ＲＤＩ）とを含み、第２のＳＤＡＰヘッダフィールドが、第２のＳＤＡＰヘッダフィールドのＱＦＩと、第２のＳＤＡＰヘッダフィールドのＲＱＩと、ＲＤＩとを含む、実施形態２８から３２のいずれかの方法。
【０１５９】
３４．基地局と無線端末との間にデータ無線ベアラ（ＤＲＢ）を確立すること（１２０７）をさらに含み、
データパケットの通信を提供することが、ＤＲＢ上の非反射ＱｏＳフローを使用してデータパケットの通信を提供することを含む、
実施形態２７の方法。
【０１６０】
３５．ＣＮノードからの情報が、非反射ＱｏＳフローを非反射ＱｏＳフローであるとして識別する、実施形態２７から３４のいずれかの方法。
【０１６１】
３６．通信を提供することが、非反射ＱｏＳフローを介して基地局から無線端末にデータパケットを送信することを含む、実施形態２７から３５のいずれかの方法。
【０１６２】
３７．通信を提供することが、非反射ＱｏＳフローを介して基地局において無線端末からデータパケットを受信することを含む、実施形態２７から３６のいずれかの方法。
【０１６３】
３８．ＣＮノードからの情報が反射ＱｏＳ属性（ＲＱＡ）を含む、実施形態２７から３７のいずれかの方法。
【０１６４】
３９．ＳＤＡＰヘッダフィールドのＱＦＩが７ビットＱＦＩである、実施形態２７から３８のいずれかの方法。
【０１６５】
４０．ＳＤＡＰヘッダフィールドが、反射ＱｏＳインジケータ（ＲＱＩ）なしで、ＱＦＩと、反射ＱｏＳフローからＤＲＢへのマッピング指示（ＲＤＩ）とを提供される、実施形態２７から３９のいずれかの方法。
【０１６６】
４１．無線端末（ＵＥ）と通信する無線通信ネットワークの基地局（ｇＮＢ）を動作させる方法であって、
サービス品質（ＱｏＳ）フローを使用して、基地局と無線端末との間のデータパケットの通信を提供すること（１２１５、１２１７）であって、ＱｏＳフローが、反射ＱｏＳフローまたは非反射ＱｏＳフローのいずれかであり、データパケットが、データフィールドと、サービスデータアプリケーションプロトコル（ＳＤＡＰ）ヘッダフィールドとを含み、ＳＤＡＰヘッダフィールドのフォーマットが、反射ＱｏＳフローまたは非反射ＱｏＳフローであるＱｏＳフローに基づいて決定される、基地局と無線端末との間のデータパケットの通信を提供することを含む、方法。
【０１６７】
４２．ＱｏＳフローが非反射ＱｏＳフローであり、ＳＤＡＰヘッダフィールドが、非反射ＱｏＳフローであるＱｏＳフローに応答して、ＱｏＳフローアイデンティティ（ＱＦＩ）と、反射ＱｏＳフローからＤＲＢへのマッピング指示（ＲＤＩ）とを含むフォーマットを有する、実施形態４１の方法。
【０１６８】
４３．ＱＦＩが７ビットＱＦＩであり、ＲＤＩが１ビットＲＤＩである、実施形態４２の方法。
【０１６９】
４４．ＳＤＡＰヘッダフィールドが、反射ＱｏＳインジケータ（ＲＱＩ）なしで、ＱＦＩとＲＤＩとを提供される、実施形態４２または４３のいずれかの方法。
【０１７０】
４５．ＱｏＳフローが反射ＱｏＳフローであり、ＳＤＡＰヘッダフィールドが、反射ＱｏＳフローであるＱｏＳフローに応答して、ＱｏＳフローアイデンティティ（ＱＦＩ）と、反射ＱｏＳインジケータ（ＲＱＩ）と、１ビットの反射ＱｏＳフローからＤＲＢへのマッピング指示（ＲＤＩ）とを含むフォーマットを有する、実施形態４１の方法。
【０１７１】
４６．データパケットが第１のデータパケットであり、ＱｏＳフローが第１のＱｏＳフローであり、データフィールドが第１のデータフィールドであり、ヘッダフィールドが第１のヘッダフィールドであり、方法が、
第２のサービス品質（ＱｏＳ）フローを使用して、基地局と無線端末との間の第２のデータパケットの通信を提供すること（１２１５）であって、第２のＱｏＳフローが非反射ＱｏＳフローであり、第２のデータパケットが、第２のデータフィールドと第２のＳＤＡＰヘッダフィールドとを含み、第２のＳＤＡＰヘッダフィールドが、非反射ＱｏＳフローであるＱｏＳフローに応答して、ＱｏＳフローアイデンティティ（ＱＦＩ）と、反射ＱｏＳフローからＤＲＢへのマッピング指示（ＲＤＩ）とを含むフォーマットを有する、基地局と無線端末との間の第２のデータパケットの通信を提供すること
をさらに含む、実施形態４５の方法。
【０１７２】
４７．基地局と無線端末との間に第１のデータ無線ベアラ（ＤＲＢ）を確立すること（１２０７）と、
基地局と無線端末との間に第２のＤＲＢを確立すること（１２０７）と
をさらに含み、
第１のデータパケットの通信を提供することが、第１のＤＲＢ上の第１のＱｏＳフローを使用して第１のデータパケットの通信を提供することを含み、
第２のデータパケットの通信を提供することが、第２のＤＲＢ上の第２のＱｏＳフローを使用して第２のデータパケットの通信を提供することを含む、
実施形態４６の方法。
【０１７３】
４８．基地局から無線端末に無線リソース制御（ＲＲＣ）メッセージを送信すること（１２０４）であって、ＲＲＣメッセージが、反射および／または非反射である少なくとも１つのＱｏＳフローに関する情報を含む、基地局から無線端末に無線リソース制御（ＲＲＣ）メッセージを送信すること
をさらに含む、実施形態４１から４７のいずれかの方法。
【０１７４】
４９．通信を提供することが、ＱｏＳフローを介して基地局から無線端末にデータパケットを送信することを含む、実施形態４１から４８のいずれかの方法。
【０１７５】
５０．通信を提供することが、ＱｏＳフローを介して基地局において無線端末からデータパケットを受信することを含む、実施形態４１から４８のいずれかの方法。
【０１７６】
５１．反射および／または非反射である少なくとも１つのサービス品質（ＱｏＳ）フローに関するコアネットワーク（ＣＮ）ノードからの情報を受信すること（１２０３）であって、ＳＤＡＰヘッダフィールドのフォーマットが、ＣＮノードからの情報を使用して、反射ＱｏＳフローまたは非反射ＱｏＳフローであるＱｏＳフローに基づいて決定される、少なくとも１つのサービス品質（ＱｏＳ）フローに関するコアネットワーク（ＣＮ）ノードからの情報を受信すること
をさらに含む、実施形態５１から５０のいずれかの方法。
【０１７７】
５２．基地局（ｇＮＢ）であって、基地局が実施形態２７から５１のいずれかによる動作を実行するように適合された、基地局（ｇＮＢ）。
【０１７８】
５３．無線端末との無線通信を提供するように設定されたトランシーバ（９０１）と、
無線通信ネットワークの他のノードとの通信を提供するように設定されたネットワークインターフェース（９０７）と、
トランシーバおよびネットワークインターフェースと結合されたプロセッサ（９０３）であって、トランシーバを介して無線通信ネットワークとの無線通信を提供するように設定され、ネットワークインターフェースを介して無線通信ネットワークの他のノードとのネットワーク通信を提供するように設定され、実施形態２７から５１のいずれかによる動作を実行するようにさらに設定される、プロセッサと
を備える基地局（ｇＮＢ）。
【０１７９】
５４．無線通信ネットワークのコアネットワーク（ＣＮ）ノードを動作させる方法であって、
しきい値よりも大きい値を有する５Ｇ  ＱｏＳインジケータ（５ＱＩ）を使用して基地局（ｇＮＢ）と無線端末（ＵＥ）との間の３ＧＰＰアクセスのために反射サービス品質（ＱｏＳ）フローが確立されることを決定すること（１３０３、１３０５）と、
しきい値よりも大きい値を有する５ＱＩを使用して３ＧＰＰアクセスのために確立されている反射ＱｏＳフローに応答して、反射ＱｏＳフローに関する情報を基地局に送信すること（１３０７）であって、反射ＱｏＳフローに関する情報が、ＱｏＳフローアイデンティティ（ＱＦＩ）と、しきい値よりも大きい値を有する５ＱＩとを含む、反射ＱｏＳフローに関する情報を基地局に送信することと
を含む、方法。
【０１８０】
５５．ＱＦＩが６ビットＱＦＩであり、５ＱＩが６４よりも大きい値を有する、実施形態５４の方法。
【０１８１】
５６．反射ＱｏＳフローが第１の反射ＱｏＳフローであり、ＱＦＩが第１のＱＦＩであり、５ＱＩが第１の５ＱＩであり、方法が、
しきい値よりも小さい値を有する第２の５ＱＩを使用して基地局と無線端末との間の３ＧＰＰアクセスのために第２の反射サービス品質（ＱｏＳ）フローが確立されることを決定すること（１３０３、１３０５）と、
しきい値よりも小さい値を有する第２の５ＱＩを使用して３ＧＰＰアクセスのために確立されている第２の反射ＱｏＳフローに応答して、第２の反射ＱｏＳフローに関する情報を基地局に送信すること（１３０９）であって、第２の反射ＱｏＳフローに関する情報が、第２の５ＱＩを別個に含むことなく、しきい値よりも小さい値を有する第２の５ＱＩにマッピングする第２のＱＦＩを含む、第２の反射ＱｏＳフローに関する情報を基地局に送信することと
をさらに含む、実施形態５４または５５のいずれかの方法。
【０１８２】
５７．第２のＱＦＩが６ビットＱＦＩであり、５ＱＩが６３未満の値を有する、実施形態５６の方法。
【０１８３】
５８．ＱＦＩが第１のＱＦＩであり、しきい値よりも大きい値を有する５ＱＩが第１の５ＱＩであり、方法が、
しきい値よりも大きい値を有する第２の５ＱＩを使用して基地局と無線端末（ＵＥ）との間の３ＧＰＰアクセスのために非反射ＱｏＳフローが確立されることを決定すること（１３０３）と、
３ＧＰＰアクセスのために確立されている非反射ＱｏＳフローに応答して、非反射ＱｏＳフローに関する情報を基地局に送信すること（１３１１）であって、非反射ＱｏＳフローに関する情報が、第２の５ＱＩを別個に含むことなく、しきい値よりも大きい値を有する第２の５ＱＩにマッピングする第２のＱＦＩを含む、非反射ＱｏＳフローに関する情報を基地局に送信することと
をさらに含む、実施形態５４の方法。
【０１８４】
５９．第２のＱＦＩが第１のＱＦＩよりも長い、実施形態５８の方法。
【０１８５】
６０．第２のＱＦＩが７ビットＱＦＩであり、５ＱＩが６４よりも大きい値を有する、実施形態５８または５９のいずれかの方法。
【０１８６】
６１．コアネットワーク（ＣＮ）ノードであって、実施形態５４から６０のいずれかによる動作を実行するように適合された、コアネットワーク（ＣＮ）ノード。
【０１８７】
６２．無線通信ネットワークの他のノードとの通信を提供するように設定されたネットワークインターフェース（１００７）と、
ネットワークインターフェースと結合されたプロセッサ（１００３）であって、ネットワークインターフェースを介して無線通信ネットワークの他のノードとのネットワーク通信を提供するように設定され、実施形態５４から６０のいずれかによる動作を実行するようにさらに設定される、プロセッサと
を備えるコアネットワーク（ＣＮ）ノード。
【０１８８】
本明細書で使用される略語／頭字語の説明を以下に与える。
略語説明
５ＧＣ    ５Ｇコアネットワーク
５ＣＮ    ５Ｇコアネットワーク
５Ｇ−ＡＮ    ５Ｇアクセスネットワーク
５ＧＳ    ５Ｇシステム
５ＱＩ    ５Ｇ  ＱｏＳインジケータ
ＡＦ    アプリケーション機能
ＡＭＦ    アクセスおよびモビリティ管理機能
ＡＭＦ    アクセスおよびモビリティ管理機能
ＡＳ    アクセス層
ＣＰ    制御プレーン
ＤＬ    ダウンリンク
ＤＮ    データネットワーク
ＤＮＮ    データネットワーク名
ＧＦＢＲ    保証フロービットレート
ｇＮＢ    ＮＲ  ＮｏｄｅＢ
ＭＦＢＲ  最大フロービットレート
ＮＡＩ    ネットワークアクセス識別子
ＮＣＧＩ    ＮＲセルグローバル識別子
ＮＣＲ    隣接セル関係
ＮＥＦ    ネットワーク露出機能
ＮＦ  ネットワーク機能
ＮＧ−ＲＡＮ    ＮＧ無線アクセスネットワーク
ＮＲ    新無線
ＮＲＦ    ネットワークリポジトリ機能
ＰＣＦ    ポリシー制御機能
ＰＥＩ    恒久的機器識別子
ＰＦＤＦ    パケットフロー記述関数
ＱＦＩ    ＱｏＳフローアイデンティティ
ＱｏＥ    体感品質
ＲＬＡＵ    ＲＡＮベースのロケーションエリア更新
ＲＮＡ    ＲＡＮ通知エリア
ＳＡ  ＮＲ    スタンドアロン新無線
ＳＢＡ    サービスベースのアーキテクチャ
ＳＢＩ    サービスベースのインターフェース５Ｇ
ＳＤＡＰ  サービスデータ適合プロトコル
ＳＤＳＦ  構造化データ記憶機能
ＳＭＦ    セッション管理機能
ＳＵＰＩ    サブスクライバ恒久的識別子
ＵＤＳＦ    非構造化データ記憶機能
ＵＬ    アップリンク
ＵＬ  ＣＬ    アップリンク分類子
ＵＰＦ    ユーザプレーン機能
Ｘｎ−Ｃ    Ｘｎ−制御プレーン
Ｘｎ−Ｕ    Ｘｎ−ユーザプレーン
ＣＮ    コアネットワーク（例えば、５ＣＮ）
【０１８９】
本明細書における実施形態について、３ＧＰＰ  ＮＲ無線技術（３ＧＰＰ  ＴＳ  ３８．３００  Ｖ１５．０．０（２０１７−１２））の文脈内で説明している。本明細書で説明される問題および解決策は、他のアクセス技術および標準を実装する無線アクセスネットワークおよびユーザ機器（ＵＥ）に等しく適用可能であり得ることが理解されるべきである。ＮＲは、実施形態が適切であり得る例示的な技術として使用され、したがって、説明においてＮＲを使用することは、問題と、そのような問題に対処する解決策とを理解するために有用であり得る。例えば、いくつかの実施形態は、３ＧＰＰ  ＬＴＥ、または、非スタンドアロンＮＲもしくはＥＮ−ＤＣ（ＥＵＴＲＡ−ＮＲデュアル接続）としても示される３ＧＰＰ  ＬＴＥおよびＮＲの統合にも適用可能であり得る。
【０１９０】
参考文献１および２に関する情報を以下に示す。
１．３ＧＰＰ  ＴＳ  ２３．５０１  Ｖ１５．０．０（２０１７−１２）、技術仕様グループサービスおよびシステム態様；５Ｇシステムのためのシステムアーキテクチャ；ステージ２（リリース１５）
２．３ＧＰＰ  ＴＳ  ３７．３２４  Ｖ１．２．０（２０１８−０３）、技術仕様グループ無線アクセスネットワーク；Ｅ−ＵＴＲＡおよびＮＲ；サービスデータ適合プロトコル（ＳＤＡＰ）仕様（リリース１５）
３．３ＧＰＰ  ＴＳ  ３８．３００  Ｖ１５．０．０（２０１７−１２）、技術仕様グループ無線アクセスネットワーク；ＮＲ；ＮＲおよびＮＧ−ＲＡＮの全体的な説明；ステージ２（リリース１５）
【０１９１】
さらなる規定および実施形態について、以下で論じる。
【０１９２】
本発明の概念の様々な実施形態の上記の説明において、本明細書で使用される用語は、特定の実施形態を説明することのみを目的とし、本発明の概念の制限であることを意図していないことが理解されるべきである。別途規定されない限り、本明細書で使用されるすべての用語（技術用語および科学用語を含む）は、本発明の概念が属する当業者によって一般に理解されるのと同じ意味を有する。一般的に使用される辞書において規定されているものなどの用語は、本明細書および関連技術の文脈におけるそれらの意味と一致する意味を有するものとして解釈されるべきであり、本明細書で明確に規定されない限り、理想化されてまたは過度に形式的に解釈されないことがさらに理解されよう。
【０１９３】
要素が別の要素に「接続されている」、「結合されている」、「応答する」、またはその変形であると呼ばれている場合、それは、他の要素に直接接続、結合、もしくは応答し得るか、または、介在する要素が存在し得る。対照的に、要素が別の要素に「直接接続されている」、「直接結合されている」、「直接応答する」、またはその変形であると呼ばれている場合、介在する要素は、存在しない。同じ番号は、全体を通して同じ要素を指す。さらに、本明細書で使用される「結合されている」、「接続されている」、「応答する」、またはその変形は、無線で結合されている、接続されている、または応答することを含み得る。本明細書で使用される場合、単数形「ａ」、「ａｎ」、および「ｔｈｅ」は、文脈がそうでないことを明確に示さない限り、複数形を同様に含むことが意図されている。周知の機能または構造は、簡潔さおよび／または明確さのために、詳細に説明されない場合がある。「および／または」という用語は、関連する列挙された項目のうちの１つまたは複数の任意のおよびすべての組合せを含む。
【０１９４】
第１の、第２の、第３のなどの用語が、様々な要素／動作を説明するために本明細書で使用されている場合があるが、これらの要素／動作は、これらの用語によって限定されるべきではないことが理解されよう。これらの用語は、ある要素／動作を別の要素／動作と区別するためにのみ使用される。したがって、いくつかの実施形態における第１の要素／動作は、本発明の概念の教示から逸脱することなく、他の実施形態において第２の要素／動作と呼ばれ得る。同じ参照番号または同じ参照符号は、本明細書全体を通して同じまたは類似の要素を示す。
【０１９５】
本明細書で使用される場合、「備える」、「備えている」、「備える」、「含む」、「含んでいる」、「含む」、「有する」、「有する」、「有している」、またはその変形である用語は、無制限であり、１つまたは複数の述べられた特徴、整数、要素、ステップ、構成要素、または機能を含むが、１つまたは複数の他の特徴、整数、要素、ステップ、構成要素、機能、またはそれらのグループの存在または追加を排除しない。さらに、本明細書で使用される場合、「例えば（exempli gratia）」というラテン語のフレーズに由来する「例えば（e.g.）」という一般的な略語は、前述の項目の一般的な例を紹介または指定するために使用される場合があり、そのような項目の制限であることを意図していない。「すなわち（id est）」というラテン語のフレーズに由来する「すなわち（i.e.）」という一般的な略語は、より一般的な記述から特定の項目を指定するために使用される場合がある。
【０１９６】
例示的な実施形態について、コンピュータで実施される方法、装置（システムおよび／またはデバイス）、および／またはコンピュータプログラム製品のブロック図および／またはフローチャート図を参照して本明細書で説明する。ブロック図および／またはフローチャート図のブロック、ならびに、ブロック図および／またはフローチャート図におけるブロックの組合せは、１つまたは複数のコンピュータ回路によって実行されるコンピュータプログラム命令によって実装され得ることが理解される。これらのコンピュータプログラム命令は、コンピュータおよび／または他のプログラム可能なデータ処理装置のプロセッサを介して実行される命令が、ブロック図および／またはフローチャートのブロックにおいて指定された機能／作用を実装するために、トランジスタ、メモリロケーション内に記憶された値、およびそのような回路内の他のハードウェア構成要素を変換および制御し、それによって、ブロックおよび／またはフローチャートのブロックにおいて指定された機能／作用を実装するための手段（機能性）および／または構造を作成するように、マシンを製造するために、汎用コンピュータ回路、専用コンピュータ回路、および／または他のプログラム可能なデータ処理回路のプロセッサ回路に提供され得る。
【０１９７】
これらのコンピュータプログラム命令はまた、コンピュータ可読媒体内に記憶された命令が、ブロック図および／またはフローチャートのブロックにおいて指定された機能／作用を実装する命令を含む製品を製造するように、特定の方法で機能するようにコンピュータまたは他のプログラム可能なデータ処理装置に指示し得る有形のコンピュータ可読媒体内に記憶され得る。したがって、本発明の概念の実施形態は、ハードウェア、および／または、デジタル信号プロセッサなどのプロセッサ上で実行されるソフトウェア（ファームウェア、常駐ソフトウェア、マイクロコードなどを含む）において具体化され得、それらは、「回路」、「モジュール」、またはその変形と集合的に呼ばれる場合がある。
【０１９８】
いくつかの代替の実装形態において、ブロックにおいて記された機能／作用は、フローチャートにおいて記された順序とは異なる順序で発生し得ることにも留意すべきである。例えば、連続して示されている２つのブロックは、関連する機能性／作用に応じて、実際には実質的に同時に実行され得、または、ブロックは、ときには、逆の順序で実行され得る。さらに、フローチャートおよび／もしくはブロック図の所与のブロックの機能性は、複数のブロックに分離され得、ならびに／または、フローチャートおよび／もしくはブロック図の２つ以上のブロックの機能性は、少なくとも部分的に統合され得る。最後に、他のブロックが、図示されているブロックの間に追加／挿入され得、および／または、発明の概念の範囲から逸脱することなく、ブロック／動作が省略され得る。さらに、図面のうちのいくつかは、通信の主要な方向を示すために通信経路上に矢印を含んでいるが、通信は、描かれた矢印と反対方向において発生し得ることが理解されるべきである。
【０１９９】
本発明の概念の原理から実質的に逸脱することなく、多くの変更および修正が実施形態になされ得る。すべてのそのような変更および修正は、本発明の概念の範囲内で本明細書に含まれることが意図されている。したがって、上記に開示されている主題は、例示的であり、限定的ではないとみなされるべきであり、実施形態の例は、本発明の概念の要旨および範囲内にあるすべてのそのような修正、強化、および他の実施形態をカバーすることが意図されている。したがって、法律によって許可される最大の範囲まで、本発明の概念の範囲は、実施形態の例およびそれらの均等物を含む本開示の最も広い許可可能な解釈によって決定されるべきであり、前述の詳細な説明によって制限または限定されるべきではない。
【図１】
2021514135.tif 000004
【図２】
2021514135.tif 000005
【図３】
2021514135.tif 000006
【図４】
2021514135.tif 000007
【図５】
2021514135.tif 000008
【図６】
2021514135.tif 000009
【図７】
2021514135.tif 000010
【図８】
2021514135.tif 000011
【図９】
2021514135.tif 000012
【図１０】
2021514135.tif 000013
【図１１】
2021514135.tif 000014
【図１２】
2021514135.tif 000015
【図１３】
2021514135.tif 000016
【手続補正書】
【提出日】令和2年6月10日(2020.6.10)
【手続補正１】
【補正対象書類名】明細書
【補正対象項目名】００３２
【補正方法】変更
【補正の内容】
【００３２】
無線アクセスネットワーク（ＲＡＮ）およびコアネットワーク（ＣＮ）は、異なるサイズのＱｏＳを使用する場合があり、これらの違いは、値範囲における違いに関する問題を引き起こす場合がある。
３ＧＰＰ標準文書ＴＳ  ３７．３２４  Ｖ１．１．０は、ＱｏＳフローからＤＲＢへのマッピング設定と、反射ＱｏＳフローからＤＲＢへのマッピングとを含むＳＤＡＰ手順を開示している。ＳＤＡＰヘッダにおけるＱＦＩというタイトルのＩｎｔｅｌ社の３ＧＰＰドラフト文書Ｒ２−１８００９４０は、ＱＦＩビット、ＮＡＳ  ＲＱＩビット、およびＡＳ  ＲＱＩビットの使用を論じている。１つの提案では、ＲＲＣシグナリングを使用して７ビットＱＦＩの６ビット値へのマッピングを設定することを検討することが提案されている。既存のＱｏＳフレームワーク（ステージ３）に関する問題というタイトルのＥｒｉｃｓｓｏｎの３ＧＰＰドラフト文書Ｒ２−１７１２９２０は、ＡＳ反射ＱＦＩからＤＲＢへのマッピングに関する問題について論じている。ＳＤＡＰの未解決の問題というタイトルのＸａｏｍｉの３ＧＰＰドラフト文書Ｒ２−１８００２３０は、ＱｏＳフローがＮＡＳ反射ＱｏＳを用いて設定されるかどうかをＲ再設定メッセージにおいてＵＥに示すｇＮＢを提案している。
ＳＤＡＰヘッダフォーマットというタイトルのＥｒｉｃｓｓｏｎの３ＧＰＰドラフト文書Ｒ２−１８００６９８は、ＱＦＩビットの数、ＲＱＩビットおよび予約ビットの存在に関するいくつかのフォーマットについて論じている。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
基地局（ｇＮＢ）と通信する無線端末（ＵＥ）を動作させる方法であって、
前記基地局から無線リソース制御（ＲＲＣ）メッセージを受信すること（１１０３）であって、前記ＲＲＣメッセージが、各々が反射または非反射であり、第１のデータ無線ベアラ（ＤＲＢ）を非反射ＱｏＳフローに関するＤＲＢとして識別し、および／または第２のＤＲＢを反射ＱｏＳフローに関するＤＲＢとして識別する複数のサービス品質（ＱｏＳ）フローに関する情報を含む、前記基地局から無線リソース制御（ＲＲＣ）メッセージを受信することと、
非反射ＱｏＳフローを使用して前記基地局から第１のデータパケットを受信すること（１１１５）であって、前記第１のデータパケットが、第１のデータフィールドと、ＱｏＳフローアイデンティティ（ＱＦＩ）を有する第１のサービスデータアプリケーションプロトコル（ＳＤＡＰ）ヘッダフィールドとを含む、前記基地局から第１のデータパケットを受信することと
を含み、
前記第１のＳＤＡＰヘッダフィールドが、前記第１のＳＤＡＰヘッダフィールドの前記ＱＦＩと、反射ＱｏＳからＤＲＢへのマッピング指示（ＲＤＩ）とを含み、前記ＲＤＩが１に設定されている場合、前記ＵＥが、前記ＳＤＡＰヘッダ内の前記ＱＦＩフィールドを処理し、前記データフィールドの前記ＱｏＳフローからＤＲＢへのマッピングを、ＵＬのための前記ＱｏＳフローからＤＲＢへのマッピングルールとして記憶する、ことを特徴とする、
方法。
【請求項２】
反射ＱｏＳフローを使用して前記基地局から第２のデータパケットを受信すること（１１１７）であって、前記第２のデータパケットが、第２のデータフィールドと、ＱＦＩおよびＲＤＩおよび反射ＱｏＳインジケータ（ＲＱＩ）を有する第２のＳＤＡＰヘッダフィールドとを含み、前記第２のＳＤＡＰヘッダフィールドの前記ＱＦＩの長さが、前記第１のＳＤＡＰヘッダフィールドの前記ＱＦＩの長さよりも短く、前記ＲＱＩの存在が、前記第２のデータパケットが反射ＱｏＳフローハンドリングの対象であることを前記ＵＥに示す、前記基地局から第２のデータパケットを受信することをさらに含む、請求項１に記載の方法。
【請求項３】
前記無線端末と前記基地局との間に前記第１のデータ無線ベアラ（ＤＲＢ）を確立すること（１１０７）と、
前記無線端末と前記基地局との間に前記第２のＤＲＢを確立すること（１１０７）と
をさらに含み、
前記第１のデータパケットの通信を提供することが、前記第１のＤＲＢ上の前記非反射ＱｏＳフローを使用して前記第１のデータパケットの通信を提供することを含み、
前記第２のデータパケットの通信を提供することが、前記第２のＤＲＢ上の前記反射ＱｏＳフローを使用して前記第２のデータパケットの通信を提供することを含む、
請求項２に記載の方法。
【請求項４】
前記ＲＲＣメッセージからの前記情報が、前記第１のＤＲＢを非反射ＱｏＳフローに関するＤＲＢとして識別し、および／または、前記ＲＲＣメッセージからの前記情報が、前記第２のＤＲＢを反射ＱｏＳフローに関するＤＲＢとして識別する、請求項３に記載の方法。
【請求項５】
前記第２のＳＤＡＰヘッダフィールドの前記ＱＦＩが６ビットＱＦＩである、請求項２から４のいずれか一項に記載の方法。
【請求項６】
前記データパケットの通信を提供することが、前記第１のＤＲＢ上の前記非反射ＱｏＳフローを使用して前記データパケットの通信を提供することを含む、
請求項１に記載の方法。
【請求項７】
無線端末（ＵＥ）であって、前記無線端末が請求項１から６のいずれか一項に記載の動作を実行するように適合されている、無線端末（ＵＥ）。
【請求項８】
無線端末（ＵＥ）と通信する無線通信ネットワークの基地局（ｇＮＢ）を動作させる方法であって、
各々が反射または非反射である複数のサービス品質（ＱｏＳ）フローに関する情報をコアネットワーク（ＣＮ）ノードから受信すること（１２０３）と、
前記ＣＮから受信された、第１のデータ無線ベアラ（ＤＲＢ）を非反射ＱｏＳフローに関するＤＲＢとして識別し、および／または、第２のＤＲＢを反射ＱｏＳフローに関するＤＲＢとして識別する前記情報を示す無線リソース制御（ＲＲＣ）メッセージを前記無線端末に送信すること（１２０４）と、
非反射ＱｏＳフローを使用して、前記無線端末に第１のデータパケットを送信すること（１２１５）であって、前記第１のデータパケットが、データフィールドと、ＱｏＳフローアイデンティティ（ＱＦＩ）を有する第１のサービスデータアプリケーションプロトコル（ＳＤＡＰ）ヘッダフィールドとを含み、前記ＱＦＩが、前記ＣＮノードからの前記情報に基づいて前記第１のデータパケットのために使用される、前記無線端末に第１のデータパケットを送信することと
を含み、
前記第１のＳＤＡＰヘッダフィールドが、反射ＱｏＳからＤＲＢへのマッピング指示（ＲＤＩ）を含み、前記ＲＤＩが１に設定されている場合、前記ＵＥが、前記データフィールドの前記ＱｏＳフローからＤＲＢへのマッピングを、前記ＵＬのための前記ＱｏＳフローからＤＲＢへのマッピングルールとして記憶する、ことを特徴とする、
方法。
【請求項９】
反射ＱｏＳフローを使用して前記基地局と前記無線端末との間の第２のデータパケットの通信を提供すること（１２１７）であって、前記第２のデータパケットが、第２のデータフィールドと、前記ＣＮノードからの前記情報に基づいて前記第２のデータパケットのために使用されるＱＦＩを有する第２のＳＤＡＰヘッダフィールドとを含む、前記基地局と前記無線端末との間の第２のデータパケットの通信を提供することをさらに含む、請求項８に記載の方法。
【請求項１０】
前記第２のＳＤＡＰヘッダフィールドが、ＲＤＩと、反射ＱｏＳインジケータ（ＲＱＩ）とをさらに含み、前記第２のＳＤＡＰヘッダフィールドの前記ＱＦＩの長さが、前記第１のＳＤＡＰヘッダフィールドの前記ＱＦＩの長さよりも短く、前記ＲＱＩの存在が、前記第２のデータパケットが反射ＱｏＳフローハンドリングの対象であることを前記ＵＥに示す、請求項９に記載の方法。
【請求項１１】
前記基地局と前記無線端末との間に第１のデータ無線ベアラ（ＤＲＢ）を確立すること（１２０７）と、
前記基地局と前記無線端末との間に第２のＤＲＢを確立すること（１２０７）と
をさらに含み、
前記第１のデータパケットの通信を提供することが、前記第１のＤＲＢ上の前記非反射ＱｏＳフローを使用して前記第１のデータパケットの通信を提供することを含み、
前記第２のデータパケットの通信を提供することが、前記第２のＤＲＢ上の前記反射ＱｏＳフローを使用して前記第２のデータパケットの通信を提供することを含む、
請求項８から１０のいずれか一項に記載の方法。
【請求項１２】
前記ＣＮノードからの前記情報が、前記第１のＤＲＢを非反射ＱｏＳフローに関するＤＲＢとして識別し、および／または、前記ＲＲＣメッセージからの前記情報が、前記第２のＤＲＢを、反射ＱｏＳフローに関するＤＲＢとして識別する、請求項１０に記載の方法。
【請求項１３】
前記第２のＳＤＡＰヘッダフィールドの前記ＱＦＩが６ビットＱＦＩである、請求項９から１２のいずれか一項に記載の方法。
【請求項１４】
前記第２のＳＤＡＰヘッダフィールドが、前記第２のＳＤＡＰヘッダフィールドの前記ＱＦＩと、前記第２のＳＤＡＰヘッダフィールドのＲＱＩと、ＲＤＩとを含む、請求項９から１３のいずれか一項に記載の方法。
【請求項１５】
前記基地局と前記無線端末との間にデータ無線ベアラ（ＤＲＢ）を確立すること（１２０７）をさらに含み、
前記データパケットの通信を提供することが、前記ＤＲＢ上の前記非反射ＱｏＳフローを使用して前記データパケットの通信を提供することを含む、
請求項８に記載の方法。
【請求項１６】
基地局（ｇＮＢ）であって、前記基地局が請求項８から１５のいずれか一項に記載の動作を実行するように適合された、基地局（ｇＮＢ）。
【国際調査報告】
2021514135.tif 000017
2021514135.tif 000018
2021514135.tif 000019
2021514135.tif 000020
2021514135.tif 000021
2021514135.tif 000022
2021514135.tif 000023